(57)【要約】【課題】各種の色空間に対応して、任意の色および明るさが認識されるか否かを判別（調整）可能とする。【解決手段】第１の色空間における三刺激値：Ｘ１０，Ｙ１０，Ｚ１０、および第２の色空間における三刺激値：Ｘ，Ｙ，Ｚを測定する測定処理（ステップ２１）と、目標色度値：ｘ’１０，ｙ’１０および目標測光量：Ｅ’に対応する第１の色空間における目標三刺激値：Ｘ’１０ｒｇｂ，Ｙ’１０ｒｇｂ，Ｚ’１０ｒｇｂを演算すると共に各レーザ光Ｌの出射量が目標三刺激値：Ｘ’１０ｒｇｂ，Ｙ’１０ｒｇｂ，Ｚ’１０ｒｇｂに対応する量となる目標レーザ出力値：Ｐ’ｒ，Ｐ’ｇ，Ｐ’ｂを演算する目標出射量特定処理（調整値特定処理）とを実行して（ステップ２２）調整値データＤ１を生成すると共に、目標出射量特定処理（調整値特定処理）において目標測光量：Ｅ’と目標三刺激値：Ｙ’との相違を補う定数：ｕを演算して目標出射量（目標調整値）を算出する。【選択図】図２
2018196033.tif 000002
【特許請求の範囲】
【請求項１】
赤色光源からの光の出射量、緑色光源からの光の出射量、および青色光源からの光の出射量を変化させることで色および明るさを任意に変化させる光出力装置を対象として任意の色および任意の明るさが認識される出射量の光が当該各光源からそれぞれ出力されているか否かを判別可能な判別用情報を生成する処理部を備えた判別用情報生成装置であって、
前記処理部は、第１の色空間に対応させた色度によって前記任意の色に対応する目標色度値ｘ’１，ｙ’１が指定され、かつ、当該第１の色空間とは異なる第２の色空間に対応させた測光量によって前記任意の明るさに対応する目標測光量Ｅ’が指定されたときに、
前記第１の色空間における三刺激値Ｘ１，Ｙ１，Ｚ１、および前記第２の色空間における三刺激値Ｘ２，Ｙ２，Ｚ２を前記各光源から出力される光毎にそれぞれ測定する測定処理と、
前記目標色度値ｘ’１，ｙ’１、前記目標測光量Ｅ’、前記三刺激値Ｘ１，Ｙ１，Ｚ１および前記三刺激値Ｘ２，Ｙ２，Ｚ２に基づき、当該目標色度値ｘ’１，ｙ’１および当該目標測光量Ｅ’に対応する前記第１の色空間における目標三刺激値Ｘ’１，Ｙ’１，Ｚ’１をそれぞれ演算し、前記各光源から出力されるべき光毎に、当該各光源からの光の出射量が当該目標三刺激値Ｘ’１，Ｙ’１，Ｚ’１に対応する量となる目標出射量をそれぞれ演算する目標出射量特定処理とを実行して当該各目標出射量に基づいて前記判別用情報を生成すると共に、  前記目標出射量特定処理において、前記第２の色空間に対応している前記目標測光量Ｅ’と前記第１の色空間に対応している前記目標三刺激値Ｙ’１との相違を補う定数を演算する定数演算処理を実行し、当該定数を用いて前記目標出射量を演算する判別用情報生成装置。
【請求項２】
請求項１記載の判別用情報生成装置を備え、前記光出力装置を調整対象として前記任意の色および前記任意の明るさが認識されるように前記各光源からの光の出射量をそれぞれ調整するための調整用情報を生成可能に構成され、
前記処理部は、前記目標出射量特定処理としての調整値特定処理を実行して前記目標出射量としての目標調整値をそれぞれ演算し、当該各目標調整値に基づいて前記調整用情報を生成する調整用情報生成装置。
【請求項３】
請求項２記載の調整用情報生成装置を備えた調整作業補助装置であって、
前記処理部は、前記調整用情報に基づいて目標調整値範囲を特定すると共に、前記各光源からの光の出射量が前記目標調整値範囲内の調整値に対応する出射量になっているかを判定する第１判定処理、および当該第１判定処理の結果を特定可能に報知する第１報知処理を実行する調整作業補助装置。
【請求項４】
請求項２記載の調整用情報生成装置を備えた調整作業補助装置であって、
前記処理部は、前記調整用情報に基づいて目標調整値範囲を特定すると共に、前記各光源からの光の出射量が前記目標調整値範囲の中心値に対応する出射量を超えて変化させられて当該目標調整値範囲内の調整値に対応する出射量になっているかを判定する第２判定処理、および当該第２判定処理の結果を特定可能に報知する第２報知処理を実行する調整作業補助装置。
【請求項５】
請求項２記載の調整用情報生成装置を備え、前記任意の色および前記任意の明るさが認識されるように前記各光源からの光の出射量をそれぞれ調整可能に構成された調整装置であって、
前記処理部は、前記調整用情報に基づいて目標調整値範囲を特定すると共に、前記各光源からの光の出射量が前記目標調整値範囲内の調整値に対応する出射量になっているかを判定する第３判定処理を実行し、当該各光源からの光の出射量が当該目標調整値範囲内の調整値に対応する出射量になっていないときに、前記各光源からの光の出射量を予め規定された変更量だけ変更する出射量調整処理を実行した後に前記第３判定処理を再び実行する調整装置。
【発明の詳細な説明】
【技術分野】
【０００１】
本発明は、任意の色および任意の明るさが認識される出射量の光が光出力装置の各光源から出射されているか否かを判別可能な判別用情報を生成する判別用情報生成装置、光出力装置における各光源からの光の出射量を任意の色および任意の明るさが認識されるように調整するための調整用情報を生成する調整用情報生成装置、並びに、そのような調整用情報生成装置を備えて構成された調整作業補助装置および調整装置に関するものである。
【背景技術】
【０００２】
この種の「判別用情報生成装置」、「調整用情報生成装置」、「調整作業補助装置」および「調整装置」として、出願人は、下記の先行出願に光量測定装置を開示している。この光量測定装置は、「調整用情報生成装置（判別用情報生成装置）」、「調整作業補助装置」および「調整装置」の各構成要素を一体的に備えた測定装置であって、レーザプロジェクタなどの「光出力装置」を調整対象とするホワイトバランスの調整作業を補助する処理や自動調整する処理を実行することができるように構成されている。
【０００３】
出願人が開示している光量測定装置では、まず、調整対象の「光出力装置（一例として、レーザプロジェクタ）」に電源を投入してホワイトバランス調整用の映像を投影させることにより、赤色レーザ光、緑色レーザ光および青色レーザ光を光量測定装置の各光電変換部に入射させる。次いで、各光電変換部から出力される検出信号に基づき、各レーザ光の重心波長およびレーザ出力値（光パワー）をそれぞれ特定する。
【０００４】
続いて、特定した重心波長およびレーザ出力値に基づき、現状の（調整前の）各レーザから出力されているレーザ光の三刺激値を演算する。この場合、同先行出願には明示していないが、三刺激値等の演算に際しては、この種の「光出力措置」の分野において一般的に用いられるＣＩＥ１９３１標準表色系（ＣＩＥ１９３１色空間）の等色関数を使用した演算処理が実行される。なお、三刺激値の具体的な算出手順や、以下に説明する各種演算処理の具体的な手順については先行出願に開示のとおりであるため、詳細な説明を省略する。
【０００５】
次いで、レーザプロジェクタの各レーザが、任意の色および任意の明るさが認識される状態（目標色度値および目標測光量が観測される状態）となる目標値を特定する。この際には、上記のように調整用の映像を表示させた状態において各レーザから出力されるべきレーザ光の三刺激値である目標三刺激値を、ＣＩＥ１９３１標準表色系に対応する数値で指定されている目標色度値および目標測光量に基づいて演算する。
【０００６】
続いて、現状の三刺激値および目標三刺激値と、指定された目標色度値の許容誤差および目標測光量の許容誤差とに基づき、各レーザを調整する際の目標調整値範囲（調整完了判定範囲：目標三刺激値範囲）を演算する。次いで、演算結果に基づき、調整値範囲データ（調整用情報：任意の色および任意の明るさが認識される出射量の光が出射されているか否かを判別可能な判別用情報）を生成する。この後、生成した調整値範囲データを用いて、レーザ光の出射量の調整作業、または出射量の自動調整処理が実施されて、調整対象のレーザプロジェクタ（各レーザ）は任意の色および任意の明るさが認識される状態となる。
【先行出願１】
【０００７】
特願２０１６−１０４７４２
【発明の概要】
【発明が解決しようとする課題】
【０００８】
ところが、上記の先行出願に開示の光量測定装置には、以下のような改善すべき課題が存在する。具体的には、先行出願に開示の光量測定装置では、光電変換部からの検出信号に基づいて特定した各レーザ光の重心波長およびレーザ出力値に基づいて調整前の（現状の）各レーザ光の三刺激値を演算すると共に、指定された目標色度値および目標測光量に対応する目標三刺激値を演算し、かつ現状の三刺激値および目標三刺激値等に基づいて調整完了判定範囲（目標三刺激値範囲を特定可能な目標調整値範囲）を特定して調整値範囲データを生成する構成が採用されている。
【０００９】
この場合、前述したように、指定された目標色度値および目標測光量や、現状の三刺激値を演算する際に使用する等色関数は、ＣＩＥ１９３１標準表色系に対応する数値が用いられている。このＣＩＥ１９３１標準表色系は、光の物理的なエネルギー量と人間の色覚との関係を定量化した色空間であり、光出力装置（表示装置や照明器具）の分野において一般的に使用される表色系（色空間）となっている。このＣＩＥ１９３１標準表色系は、別名「２度視野表色系」と称されており、測色標準観測者（擬似的な観測者）の２度の視野角内で得られる標準的な色覚を基準に等色関数が定義されている。
【００１０】
一方、上記の光量測定装置では、調整対象の「光出力装置」による映像表示領域の大形化（プロジェクタの場合には、スクリーンの大形化であり、その他の表示器においては、画面サイズの大形化）に伴い、ＣＩＥ１９３１標準表色系（２度視野表色系）以外の表色系（例えば、ＣＩＥ１９６４ＵＣＳ標準表色系（ＣＩＥ１９６４ＵＣＳ色空間）：１０度視野表色系）に対応する目標値を定めて「光出力装置」を調整したいとの要望がある。また、ＣＩＥ１９３１標準表色系の各数値については、「目視」との相関関係が不十分であるとの指摘があり、表示器等の「光出力装置」の広色域化に伴って、その傾向が一層顕著になると予測される。さらに、視野角の相違や、「目視」との相関関係の問題以外にも、調整対象の「光出力装置」の用途によっては、上記の色空間（標準表色系）とは異なる色空間に対応する目標値を定めて調整するのが好ましいこともある。
【００１１】
しかしながら、現状では、ＣＩＥ１９３１標準表色系以外の色空間（表色系）においては、測光量を導出可能な等色関数が定義されていない。したがって、例えば、ＣＩＥ１９６４ＵＣＳ標準表色系に対応する目標値を定めて「光出力装置」を調整しようとしたとしても、目標測光量についてはＣＩＥ１９６４ＵＣＳ標準表色系に対応する数値で指定することができないため、ＣＩＥ１９３１標準表色系に対応する数値で目標測光量を指定せざるを得ないという現状がある。また、目標調整値や目標調整値範囲の算出時にも「測光量」に関連する項についてはＣＩＥ１９３１標準表色系に対応する数値を使用せざるを得ない。したがって、ＣＩＥ１９６４ＵＣＳ標準表色系に対応する数値だけを使用して目的の数値を導出することができないという現状がある。
【００１２】
このため、先行出願に開示の光量測定装置では、仮にＣＩＥ１９３１標準表色系の等色関数に代えてＣＩＥ１９６４ＵＣＳ標準表色系の等色関数を使用したとしても、ＣＩＥ１９６４ＵＣＳ標準表色系に対応する目標調整値や目標調整値範囲を導出することができず、結果として、ＣＩＥ１９３１標準表色系以外の色空間に対応する目標値（目標調整値や目標調整値範囲）を特定することができないため、この点を改善するのが好ましい。
【００１３】
本発明は、かかる改善すべき課題に鑑みてなされたものであり、各種の色空間に対応して、任意の色および任意の明るさが認識される状態であるか否かを判別可能とする判別用情報生成装置、任意の色および任意の明るさが認識されるように各光源からの光の出射量を確実かつ容易に調整させ得る調整用情報生成装置および調整作業補助装置、並びにそのような調整用情報生成装置を備えて各光源からの光の出射量を調整可能に構成された調整装置を提供することを主目的とする。
【課題を解決するための手段】
【００１４】
上記目的を達成すべく、請求項１記載の判別用情報生成装置は、赤色光源からの光の出射量、緑色光源からの光の出射量、および青色光源からの光の出射量を変化させることで色および明るさを任意に変化させる光出力装置を対象として任意の色および任意の明るさが認識される出射量の光が当該各光源からそれぞれ出力されているか否かを判別可能な判別用情報を生成する処理部を備えた判別用情報生成装置であって、前記処理部は、第１の色空間に対応させた色度によって前記任意の色に対応する目標色度値ｘ’１，ｙ’１が指定され、かつ、当該第１の色空間とは異なる第２の色空間に対応させた測光量によって前記任意の明るさに対応する目標測光量Ｅ’が指定されたときに、前記第１の色空間における三刺激値Ｘ１，Ｙ１，Ｚ１、および前記第２の色空間における三刺激値Ｘ２，Ｙ２，Ｚ２を前記各光源から出力される光毎にそれぞれ測定する測定処理と、前記目標色度値ｘ’１，ｙ’１、前記目標測光量Ｅ’、前記三刺激値Ｘ１，Ｙ１，Ｚ１および前記三刺激値Ｘ２，Ｙ２，Ｚ２に基づき、当該目標色度値ｘ’１，ｙ’１および当該目標測光量Ｅ’に対応する前記第１の色空間における目標三刺激値Ｘ’１，Ｙ’１，Ｚ’１をそれぞれ演算し、前記各光源から出力されるべき光毎に、当該各光源からの光の出射量が当該目標三刺激値Ｘ’１，Ｙ’１，Ｚ’１に対応する量となる目標出射量をそれぞれ演算する目標出射量特定処理とを実行して当該各目標出射量に基づいて前記判別用情報を生成すると共に、  前記目標出射量特定処理において、前記第２の色空間に対応している前記目標測光量Ｅ’と前記第１の色空間に対応している前記目標三刺激値Ｙ’１との相違を補う定数を演算する定数演算処理を実行し、当該定数を用いて前記目標出射量を演算する。
【００１５】
なお、本発明においては、「第１の色空間」として「任意の明るさに対応する測光量を導出可能な等色関数が規定されていない色空間」を採用し、かつ「第２の色空間」として「任意の明るさに対応する測光量を導出可能な等色関数が規定されている色空間」を採用するときに、上記したような課題を好適に解決することができる。この場合、「任意の明るさに対応する測光量を導出可能な等色関数が規定されていない色空間／規定されている色空間」とは、「分光視感効率に対応する等色関数が規定されていない色空間／規定されている色空間」と言い換えることができる。
【００１６】
また、請求項２記載の調整用情報生成装置は、請求項１記載の判別用情報生成装置を備え、前記光出力装置を調整対象として前記任意の色および前記任意の明るさが認識されるように前記各光源からの光の出射量をそれぞれ調整するための調整用情報を生成可能に構成され、前記処理部は、前記目標出射量特定処理としての調整値特定処理を実行して前記目標出射量としての目標調整値をそれぞれ演算し、当該各目標調整値に基づいて前記調整用情報を生成する。
【００１７】
また、請求項３記載の調整作業補助装置は、請求項２記載の調整用情報生成装置を備えた調整作業補助装置であって、前記処理部は、前記調整用情報に基づいて目標調整値範囲を特定すると共に、前記各光源からの光の出射量が前記目標調整値範囲内の調整値に対応する出射量になっているかを判定する第１判定処理、および当該第１判定処理の結果を特定可能に報知する第１報知処理を実行する。
【００１８】
また、請求項４記載の調整作業補助装置は、請求項２記載の調整用情報生成装置を備えた調整作業補助装置であって、前記処理部は、前記調整用情報に基づいて目標調整値範囲を特定すると共に、前記各光源からの光の出射量が前記目標調整値範囲の中心値に対応する出射量を超えて変化させられて当該目標調整値範囲内の調整値に対応する出射量になっているかを判定する第２判定処理、および当該第２判定処理の結果を特定可能に報知する第２報知処理を実行する。
【００１９】
また、請求項５記載の調整装置は、請求項２記載の調整用情報生成装置を備え、前記任意の色および前記任意の明るさが認識されるように前記各光源からの光の出射量をそれぞれ調整可能に構成された調整装置であって、前記処理部は、前記調整用情報に基づいて目標調整値範囲を特定すると共に、前記各光源からの光の出射量が前記目標調整値範囲内の調整値に対応する出射量になっているかを判定する第３判定処理を実行し、当該各光源からの光の出射量が当該目標調整値範囲内の調整値に対応する出射量になっていないときに、前記各光源からの光の出射量を予め規定された変更量だけ変更する出射量調整処理を実行した後に前記第３判定処理を再び実行する。
【発明の効果】
【００２０】
請求項１記載の判別用情報生成装置では、第１の色空間に対応させた色度によって任意の色に対応する目標色度値ｘ’１，ｙ’１が指定され、かつ、第２の色空間に対応させた測光量によって任意の明るさに対応する目標測光量Ｅ’が指定されたときに、第１の色空間における三刺激値Ｘ１，Ｙ１，Ｚ１、および第２の色空間における三刺激値Ｘ２，Ｙ２，Ｚ２を各光源から出力される光毎にそれぞれ測定する測定処理と、目標色度値ｘ’１，ｙ’１、目標測光量Ｅ’、三刺激値Ｘ１，Ｙ１，Ｚ１および三刺激値Ｘ２，Ｙ２，Ｚ２に基づき、目標色度値ｘ’１，ｙ’１および目標測光量Ｅ’に対応する第１の色空間における目標三刺激値Ｘ’１，Ｙ’１，Ｚ’１をそれぞれ演算し、各光源から出力されるべき光毎に、各光源からの光の出射量が目標三刺激値Ｘ’１，Ｙ’１，Ｚ’１に対応する量となる目標出射量をそれぞれ演算する目標出射量特定処理とを実行して各目標出射量に基づいて判別用情報を生成すると共に、目標出射量特定処理において、第２の色空間に対応している目標測光量Ｅ’と第１の色空間に対応している目標三刺激値Ｙ’１との相違を補う定数を演算する定数演算処理を実行し、定数を用いて目標出射量を演算する。
【００２１】
したがって、請求項１記載の判別用情報生成装置では、目標色度値ｘ’１，ｙ’１および目標測光量Ｅ’が互いに相違する色空間に対応する数値で指定された場合であっても判別用情報を確実かつ容易に生成することができ、これにより、判別用情報に基づいて特定される３つの光（各光源からの光）毎の目標出射量に基づき、少なくとも、各光源からの光の出射量がそれぞれの目標出射量に対応する出射量となっていない状態においては、目標色度値ｘ’１，ｙ’１および目標測光量Ｅ’が測定される状態になっていないと判断することができる。これにより、光出力装置の状態の判別に不慣れな作業者であっても、光出力装置の状態を短時間で容易に把握可能な情報（判別用情報）を提供することができる。
【００２２】
請求項２記載の調整用情報生成装置では、請求項１記載の判別用情報生成装置を備え、光出力装置を調整対象として任意の色および任意の明るさが認識されるように各光源からの光の出射量をそれぞれ調整するための調整用情報を生成可能に構成され、処理部が、目標出射量特定処理としての調整値特定処理を実行して目標出射量としての目標調整値をそれぞれ演算し、各目標調整値に基づいて調整用情報を生成する。
【００２３】
したがって、請求項２記載の調整用情報生成装置によれば、目標色度値ｘ’１，ｙ’１および目標測光量Ｅ’が互いに相違する色空間に対応する数値で指定された場合であっても調整用情報を確実かつ容易に生成することができ、これにより、調整用情報に基づいて特定される３つの光（各光源からの光）毎の目標調整値（または、目標調整値範囲）に基づき、少なくとも、各光源からの光の出射量がそれぞれの目標調整値（または、目標調整値範囲内の値）に対応する出射量となっていない状態においては、目標色度値ｘ’１，ｙ’１および目標測光量Ｅ’が測定される状態になっていない（調整が完了していない）と判断することができる。このため、例えば、その時点において測定される色度値および測光量と、目標色度値ｘ’１，ｙ’１および目標測光量Ｅ’とに基づいて、各光の出射量の調整の要否や調整量を推定する必要がなくなり、各光のうちのいずれの出射量を変更すべきか、および各光のうちのいずれの出射量を増加させていずれの出射量を減少させるべきかを確実かつ容易に認識することができる。これにより、この種の調整作業に不慣れな作業者であっても、調整作業を短時間で容易に実行することができる。
【００２４】
請求項３記載の調整作業補助装置によれば、各光源からの光の出射量が、調整用情報に基づいて特定した目標調整値範囲内の調整値に対応する出射量になっているかを判定する第１判定処理、および第１判定処理の結果を特定可能に報知する第１報知処理を実行することにより、調整作業中の光源からの光の出射量が目標調整値範囲内の調整値に対応する出射量になったか否かを容易に認識することができるため、この種の調整作業に不慣れな作業者であっても、調整作業を一層容易に実行することができる。
【００２５】
請求項４記載の調整作業補助装置によれば、各光源からの光の出射量が、調整用情報に基づいて特定した目標調整値範囲の中心値に対応する出射量を超えて変化させられて目標調整値範囲内の調整値に対応する出射量になっているかを判定する第２判定処理、および第２判定処理の結果を特定可能に報知する第２報知処理を実行することにより、光源からの光の出射量が目標調整値範囲内の調整値に対応する出射量ではないと認識した作業者が調整作業に際して出射量を少しずつ変化させるときに、特定される出射量が目標調整値範囲の中心値に対応する値を超えたと報知されるまで調整作業が継続されることとなるため、出射量が目標調整値範囲内の調整値に対応する値となった時点、すなわち、目標調整値範囲の上限値や下限値に近い調整値に対応する出射量となった時点で調整作業が終了されてしまう事態を回避して、目標調整値範囲の中心値に近い調整値に対応する出射量が特定される状態となるまで好適に調整させることができる。
【００２６】
請求項５記載の調整装置では、任意の色および任意の明るさが認識されるように各光源からの光の出射量をそれぞれ調整可能に構成され、各光源からの光の出射量が調整用情報に基づいて特定した目標調整値範囲内の調整値に対応する出射量になっているかを判定する第３判定処理を実行し、各光源からの光の出射量が目標調整値範囲内の調整値に対応する出射量になっていないときに、各光源からの光の出射量を予め規定された変更量だけ変更する出射量調整処理を実行した後に第３判定処理を再び実行する。
【００２７】
したがって、請求項５記載の調整装置によれば、作業者が目標調整値範囲を規定したり、規定した目標調整値範囲内の調整値に対応する出射量となるように調整作業を行ったりすることなく、目標調整値範囲を規定する処理から、光源からの光の出射量が目標調整値範囲内の調整値に対応する出射量となるような調整処理までの一連の処理を自動的に実行させることができるため、この種の装置（作業）に不慣れな者であっても、任意の色および任意の明るさが認識されるように各光源からの光の出射量を確実かつ容易に調整させることができる。
【図面の簡単な説明】
【００２８】
【図１】光量測定装置１の構成図である。
【図２】調整作業補助処理２０のフローチャートである。
【図３】調整状態報知用表示４０の表示状態の一例について説明するための説明図である。
【図４】調整状態報知用表示４０の表示状態の他の一例について説明するための説明図である。
【発明を実施するための形態】
【００２９】
以下、判別用情報生成装置、調整用情報生成装置、調整作業補助装置および調整装置の実施の形態について、添付図面を参照して説明する。
【００３０】
図１に示す光量測定装置１は、「調整用情報生成装置」を備えて構成された「調整作業補助装置」および「調整装置」の一例であって、赤色レーザ（「赤色光源」の一例）からの赤色レーザ光Ｌｒの出射量、緑色レーザ（「緑色光源」の一例）からの緑色レーザ光Ｌｇの出射量、および青色レーザ（「青色光源」の一例）からの青色レーザ光Ｌｂの出射量を変化させることにより、赤色レーザ光Ｌｒ、緑色レーザ光Ｌｇおよび青色レーザ光Ｌｂの合成光Ｌｒｇｂによって観者に認識させる色および明るさを任意に変化させるレーザプロジェクタ（「光出力装置」の一例）を「調整対象」とするホワイトバランスの調整作業の補助や、自動調整処理を実行可能に構成されている。なお、以下に説明する例では、ホワイトバランスの調整作業が「任意の色および任意の明るさが認識されるように各光源からの光の出射量をそれぞれ調整する」との作業に相当する。
【００３１】
具体的には、光量測定装置１は、受光部２Ｒ，２Ｇ，２Ｂ、信号変換部３Ｒ，３Ｇ，３Ｂ、操作部４、表示部５、処理部６および記憶部７を備えて構成されている。なお、本例の光量測定装置１は、実際には、各受光部２Ｒ，２Ｇ，２Ｂに対する光の入射方向や入射量を規制するための光拡散部やアパーチャなどを備えているが、これらの構成および機能については公知のため、図示および詳細な説明を省略する。
【００３２】
受光部２Ｒ，２Ｇ，２Ｂ（以下、区別しないときには「受光部２」ともいう）は、受光センサ１０ａ，１０ｂおよび光学フィルタ１１をそれぞれ備えて構成されている。また、受光センサ１０ａは、光学フィルタ１２ａおよび光電変換部１３ａを備えて構成され、受光センサ１０ｂは、光学フィルタ１２ｂおよび光電変換部１３ｂを備えて構成されている。この場合、本例の光量測定装置１では、受光部２Ｒの光学フィルタ１１が、赤色レーザ光Ｌｒの重心波長を中心として予め規定された「測定対象波長範囲（赤色光波長領域）」内の波長の光の受光センサ１０ａ，１０ｂに対する入射を許容しつつ、「測定対象波長範囲」よりも短い波長の光や「測定対象波長範囲」よりも長い波長の光の受光センサ１０ａ，１０ｂに対する入射を規制するように構成されている。
【００３３】
また、本例の光量測定装置１では、受光部２Ｇの光学フィルタ１１が、緑色レーザ光Ｌｇの重心波長を中心として予め規定された「測定対象波長範囲（緑色光波長領域）」内の波長の光の受光センサ１０ａ，１０ｂに対する入射を許容しつつ、「測定対象波長範囲」よりも短い波長の光や「測定対象波長範囲」よりも長い波長の光の受光センサ１０ａ，１０ｂに対する入射を規制するように構成されている。さらに、本例の光量測定装置１では、受光部２Ｂの光学フィルタ１１が、青色レーザ光Ｌｂの重心波長を中心として予め規定された「測定対象波長範囲（青色光波長領域）」内の波長の光の受光センサ１０ａ，１０ｂに対する入射を許容しつつ、「測定対象波長範囲」よりも短い波長の光や「測定対象波長範囲」よりも長い波長の光の受光センサ１０ａ，１０ｂに対する入射を規制するように構成されている。
【００３４】
また、本例の光量測定装置１では、受光センサ１０ａの分光感度と受光センサ１０ｂの分光感度との比が、各受光部２毎に規定された上記の「測定対象波長範囲」内の各波長の光毎に相違するように両光学フィルタ１２ａ，１２ｂの光学特性（光透過特性）がそれぞれ規定されている。具体的には、一例として、光電変換部１３ａの受光面側に配設されている光学フィルタ１２ａは、受光センサ１０ａの分光感度特性が長い波長の光ほど感度が高い特性となるように光電変換部１３ａに対する光の入射量を制限（規制）する光学特性が付与されている。また、光電変換部１３ｂの受光面側に配設されている光学フィルタ１２ｂは、受光センサ１０ｂの分光感度特性が短い波長の光ほど感度が高い特性となるように光電変換部１３ｂに対する光の入射量を制限（規制）する光学特性が付与されている。
【００３５】
光電変換部１３ａは、光学フィルタ１１，１２ａを透過した光を受光可能に配設され、その受光量に応じた検出信号Ｓａ（受光量に応じた電流信号）を出力する。また、光電変換部１３ｂは、光学フィルタ１１，１２ｂを透過した光を受光可能に配設され、その受光量に応じた検出信号Ｓｂ（受光量に応じた電流信号）を出力する。なお、本例の光量測定装置１では、一例として、同じ製品で構成された光電変換部１３ａ，１３ｂ（各波長の光についての感度が互いに等しい「光電変換部」）が採用されて両受光センサ１０ａ，１０ｂがそれぞれ構成されている。
【００３６】
信号変換部３Ｒ，３Ｇ，３Ｂ（以下、区別しないときには「信号変換部３」ともいう）は、光電変換部１３ａ，１３ｂ（受光センサ１０ａ，１０ｂ）から出力される検出信号Ｓａ，ＳｂをＩ／Ｖ変換するＩ／Ｖ変換部と、Ｉ／Ｖ変換部から出力される検出信号（電圧信号）をＡ／Ｄ変換処理して検出信号データＤａ，Ｄｂを生成するＡ／Ｄ変換部とをそれぞれ備えている。
【００３７】
操作部４は、後述する各種処理の条件の設定操作や、処理の開始／停止を指示する各種の操作スイッチを備え、スイッチ操作に応じた操作信号を処理部６に出力する。表示部５は、処理部６の制御に従い、後述する調整作業補助画面や調整結果報知画面（共に図示せず）などの各種の表示画面を表示する。
【００３８】
処理部６は、光量測定装置１を総括的に制御する。この処理部６は、各受光部２および各信号変換部３と相俟って「処理部」を構成する。この処理部６は、後述するように、光量測定装置１を「調整用情報生成装置」および「調整作業補助装置」として機能させたときに、図２に示す調整作業補助処理２０を実行し、「調整用情報」に相当する調整値データＤ１を生成すると共に、「調整対象」としてのレーザプロジェクタの調整状態を判定して作業者に対して報知する。
【００３９】
また、本例の光量測定装置１では、後述するように、一例として、図１に破線で示すように信号ケーブルを介してレーザプロジェクタと接続されている状態において「調整装置」として機能させたときに、処理部６が、生成した調整値データＤ１に応じてレーザプロジェクタのホワイトバランスを自動調整する「調整処理」を実行する構成が採用されている。なお、調整作業補助処理２０や「調整処理」の具体的な内容については、後に詳細に説明する。
【００４０】
記憶部７は、処理部６の動作プログラムＤｐや、各種の色空間において定義されている等色関数が記録された等色関数データＤ０を記憶すると共に、処理部６によって生成された調整値データＤ１などを記憶する。この場合、本例の光量測定装置１では、一例として、ＣＩＥ１９３１標準表色系（「第２の色空間」の一例）、およびＣＩＥ１９６４ＵＣＳ標準表色系（「第１の色空間」の一例）の２種類の色空間の等色関数が等色関数データＤ０の初期値として記憶部７に記憶され、必要に応じて、これらの色空間以外の任意の色空間の等色関数についての等色関数データＤ０を記憶部７に記憶させることができるように構成されている。
【００４１】
なお、本例の光量測定装置１は、「調整用情報生成装置」、「調整作業補助装置」および「調整装置」としての用途だけではなく、各種の被測定光の「光量（「輝度」および「照度」などの「測光量」）」や「色度」を測定して測定値を表示する「測定装置」として使用することができるように構成されているが、「調整用情報生成装置」、「調整作業補助装置」および「調整装置」についての理解を容易とするために、通常の「測定装置」としての使用方法に関する説明を省略する。
【００４２】
次に、光量測定装置１を使用したホワイトバランス調整作業の一例について説明する。
【００４３】
まず、一例として、「調整対象」のレーザプロジェクタによって各種の映像を投影するスクリーンの位置に光量測定装置１を設置する。この際には、レーザプロジェクタ（各レーザ）からの赤色レーザ光Ｌｒ、緑色レーザ光Ｌｇおよび青色レーザ光Ｌｂ（以下、これらを区別しないときには「レーザ光Ｌ」ともいう）が各受光部２に対して照射されるように、各受光部２の受光面をレーザプロジェクタに向けて光量測定装置１を設置する。次いで、レーザプロジェクタの電源を投入し、ホワイトバランス調整用の映像（以下、この映像を「調整用映像」ともいう）の投影を開始させる。この際には、一例として、投影領域の全域に亘って均一な白色の映像を調整用映像として投影させる。
【００４４】
なお、この調整用映像の投影時にレーザプロジェクタから出射される合成光Ｌｒｇｂについてのスクリーンの位置において測定されるべき「色度値」である「目標色度値：ｘ’１０，ｙ’１０（「目標色度値ｘ’１，ｙ’１」の一例）」、および「目標色度値：ｘ’１０，ｙ’１０に対する色度値許容誤差」や、スクリーンの位置において測定されるべき「測光量」である「目標測光量：Ｅ’（「目標測光量Ｅ’」の一例）」および「目標測光量：Ｅ’に対する測光量許容誤差」が利用者によって指定されているものとする。また、本例では、「目標色度値：ｘ’１０，ｙ’１０」および「目標色度値：ｘ’１０，ｙ’１０に対する色度値許容誤差」がＣＩＥ１９６４ＵＣＳ標準表色系に対応させた数値（色度）で指定されると共に、「目標測光量：Ｅ’」および「目標測光量：Ｅ’に対する測光量許容誤差」がＣＩＥ１９３１標準表色系に対応させた数値（測光量）で指定されているものとする。
【００４５】
一方、本例の光量測定装置１では、例えば、受光部２Ｒにおいて、光学フィルタ１１によって緑色レーザ光Ｌｇおよび青色レーザ光Ｌｂの入射が規制されて赤色レーザ光Ｌｒの入射が許容されている。このため、上記のように調整用映像を投影させた状態において、受光部２Ｒでは、赤色レーザからの赤色レーザ光Ｌｒの重心波長に応じて、光学フィルタ１２ａを透過する赤色レーザ光Ｌｒの光電変換部１３ａによる受光量に応じた電流値の検出信号Ｓａが光電変換部１３ａから出力され、かつ光学フィルタ１２ｂを透過する赤色レーザ光Ｌｒの光電変換部１３ｂによる受光量に応じた電流値の検出信号Ｓｂが光電変換部１３ｂから出力される状態となる。
【００４６】
また、受光部２Ｇでは、光学フィルタ１１によって赤色レーザ光Ｌｒおよび青色レーザ光Ｌｂの入射が規制されて緑色レーザ光Ｌｇの入射が許容されている。このため、受光部２Ｇでは、緑色レーザからの緑色レーザ光Ｌｇの重心波長に応じて、光学フィルタ１２ａを透過する緑色レーザ光Ｌｇの光電変換部１３ａによる受光量に応じた電流値の検出信号Ｓａが光電変換部１３ａから出力され、かつ光学フィルタ１２ｂを透過する緑色レーザ光Ｌｇの光電変換部１３ｂによる受光量に応じた電流値の検出信号Ｓｂが光電変換部１３ｂから出力される状態となる。
【００４７】
さらに、受光部２Ｂでは、光学フィルタ１１によって赤色レーザ光Ｌｒおよび緑色レーザ光Ｌｇの入射が規制されて青色レーザ光Ｌｂの入射が許容されている。このため、受光部２Ｂでは、青色レーザからの青色レーザ光Ｌｂの重心波長に応じて、光学フィルタ１２ａを透過する青色レーザ光Ｌｂの光電変換部１３ａによる受光量に応じた電流値の検出信号Ｓａが光電変換部１３ａから出力され、かつ光学フィルタ１２ｂを透過する青色レーザ光Ｌｂの光電変換部１３ｂによる受光量に応じた電流値の検出信号Ｓｂが光電変換部１３ｂから出力される状態となる。
【００４８】
この状態において、操作部４の操作によって処理の開始が指示されたときに、処理部６は、図２に示す調整作業補助処理２０を開始する。この調整作業補助処理２０では、処理部６は、まず、各レーザ（光源）から出力されているレーザ光Ｌの三刺激値の特定を開始する（「測定処理」の一例：ステップ２１）。この場合、本例の光量測定装置１では、このステップ２１の処理において、ＣＩＥ１９６４ＵＣＳ標準表色系における三刺激値：Ｘ１０，Ｙ１０，Ｚ１０（「三刺激値Ｘ１，Ｙ１，Ｚ１」の一例）、およびＣＩＥ１９３１標準表色系における三刺激値：Ｘ，Ｙ，Ｚ（「三刺激値Ｘ２，Ｙ２，Ｚ２」の一例）を、赤色レーザ光Ｌｒ、緑色レーザ光Ｌｇおよび青色レーザ光Ｌｂ毎にそれぞれ測定する。
【００４９】
具体的には、処理部６は、まず、受光部２Ｒの受光センサ１０ａ，１０ｂから出力されて信号変換部３Ｒによって変換された検出信号データＤａ，Ｄｂに基づき、受光部２Ｒに入射している赤色レーザ光Ｌｒの「重心波長：λｇｒ」を特定する。同様にして、受光部２Ｇの受光センサ１０ａ，１０ｂから出力されて信号変換部３Ｇによって変換された検出信号データＤａ，Ｄｂに基づき、受光部２Ｇに入射している緑色レーザ光Ｌｇの「重心波長：λｇｇ」を特定すると共に、受光部２Ｂの受光センサ１０ａ，１０ｂから出力されて信号変換部３Ｂによって変換された検出信号データＤａ，Ｄｂに基づき、受光部２Ｂに入射している青色レーザ光Ｌｂの「重心波長：λｇｂ」を特定する。
【００５０】
この際に、処理部６は、各受光部２毎の検出信号データＤａの値と検出信号データＤｂの値とのいずれか予め規定された一方に対する他方の比（一例として、検出信号データＤａの値に対する検出信号データＤｂの値の比：検出信号データＤｂの値／検出信号データＤａの値）を演算し、演算した比に基づいて、各受光部２の受光センサ１０ａ，１０ｂに入射したレーザ光Ｌの重心波長λｇを特定（演算）する。これにより、赤色レーザから出力される赤色レーザ光Ｌｒの「重心波長：λｇｒ」と、緑色レーザから出力される緑色レーザ光Ｌｇの「重心波長：λｇｇ」と、青色レーザから出力される青色レーザ光Ｌｂの「重心波長：λｇｂ」とがそれぞれ特定される。
【００５１】
次いで、処理部６は、各レーザ光Ｌの「レーザ出力値（光パワー）：Ｐ」をそれぞれ特定する。この際に、処理部６は、検出信号データＤａ，Ｄｂのいずれか一方（一例として、受光センサ１０ａ，１０ｂのうちの特定した「重心波長：λｇ」における感度が高い一方から出力された検出信号Ｓに対応する検出信号データＤ）と、特定した「重心波長：λｇ」とに基づいて「レーザ出力値：Ｐ」を演算する。これにより、赤色レーザから出力される赤色レーザ光Ｌｒの「レーザ出力値：Ｐｒ」と、緑色レーザから出力される緑色レーザ光Ｌｇの「レーザ出力値：Ｐｇ」と、青色レーザから出力される青色レーザ光Ｌｂの「レーザ出力値：Ｐｂ」とがそれぞれ特定される。
【００５２】
続いて、処理部６は、特定した「重心波長：λｇｒ，λｇｇ，λｇｂ」、「レーザ出力値：Ｐｒ，Ｐｇ，Ｐｂ」および「ＣＩＥ１９６４ＵＣＳ標準表色系の等色関数：ｘ１０（λ），ｙ１０（λ），ｚ１０（λ）」を用いて、下記の［数１］に示すように、赤色レーザからの赤色レーザ光Ｌｒの「三刺激値：Ｘ１０ｒ，Ｙ１０ｒ，Ｚ１０ｒ」と、緑色レーザからの緑色レーザ光Ｌｇの「三刺激値：Ｘ１０ｇ，Ｙ１０ｇ，Ｚ１０ｇ」と、青色レーザからの青色レーザ光Ｌｂの「三刺激値：Ｘ１０ｂ，Ｙ１０ｂ，Ｚ１０ｂ」とをそれぞれ演算する。同様にして、処理部６は、特定した「重心波長：λｇｒ，λｇｇ，λｇｂ」、「レーザ出力値：Ｐｒ，Ｐｇ，Ｐｂ」および「ＣＩＥ１９３１標準表色系の等色関数：ｘ（λ），ｙ（λ），ｚ（λ）」を用いて、下記の［数１］に示すように、赤色レーザからの赤色レーザ光Ｌｒの「三刺激値：Ｘｒ，Ｙｒ，Ｚｒ」と、緑色レーザからの緑色レーザ光Ｌｇの「三刺激値：Ｘｇ，Ｙｇ，Ｚｇ」と、青色レーザからの青色レーザ光Ｌｂの「三刺激値：Ｘｂ，Ｙｂ，Ｚｂ」とをそれぞれ演算する。
【００５３】
【数１】
2018196033.tif 000003
【００５４】
なお、レーザプロジェクタから出力されるレーザ光Ｌｒ，Ｌｇ，Ｌｂ（合成光Ｌｒｇｂ）の「三刺激値：Ｘ１０ｒｇｂ，Ｙ１０ｒｇｂ，Ｚ１０ｒｇｂ」および「三刺激値：Ｘｒｇｂ，Ｙｒｇｂ，Ｚｒｇｂ」は、それぞれ［数２］に示すとおりとなる。
【００５５】
【数２】
2018196033.tif 000004
【００５６】
次いで、処理部６は、「目標色度値：ｘ’１０，ｙ’１０」および「目標測光量：Ｅ’」となる「レーザ出力値（目標レーザ出力値：Ｐ’ｒ，Ｐ’ｇ，Ｐ’ｂ：「目標調整値」の一例）」を特定する（「調整値特定処理」の一例：ステップ２２）。
【００５７】
具体的には、処理部６は、まず、指定されている「目標色度値：ｘ’１０，ｙ’１０（「目標色度値ｘ’１，ｙ’１」の一例）」、「目標測光量：Ｅ’（「目標測光量Ｅ’」の一例）」、ステップ２１において演算した「三刺激値：Ｘ１０ｂ，Ｙ１０ｂ，Ｚ１０ｂ」および「三刺激値：Ｘｂ，Ｙｂ，Ｚｂ」に基づき、調整用映像を表示させた状態においてレーザプロジェクタ（赤色レーザ、緑色レーザおよび青色レーザ）から出力されるべきレーザ光Ｌｒ，Ｌｇ，Ｌｂ（合成光Ｌｒｇｂ）の「目標三刺激値：Ｘ’１０ｒｇｂ，Ｙ’１０ｒｇｂ，Ｚ’１０ｒｇｂ（「第１の色空間における目標三刺激値Ｘ’１，Ｙ’１，Ｚ’１」の一例）」を［数３］に示すように演算する。
【００５８】
【数３】
2018196033.tif 000005
【００５９】
この場合、前述したように、ＣＩＥ１９６４ＵＣＳ標準表色系では、「測光量」を導出可能な等色関数が定義されていないため、「目標調整値」等の演算に際しては、ＣＩＥ１９３１標準表色系に対応する数値を使用する必要がある。また、「目標測光量：Ｅ’」についても上記したようにＣＩＥ１９３１標準表色系に対応する「測光量」で指定されている。したがって、本例の光量測定装置１では、［数３］のように、ＣＩＥ１９３１標準表色系に対応している上記の「目標測光量：Ｅ’」と、ＣＩＥ１９６４ＵＣＳ標準表色系に対応している上記の「目標三刺激値：Ｙ’１０ｒｇｂ」との相違を補う（「目標測光量：Ｅ’」と「目標三刺激値：Ｙ’１０ｒｇｂ」とを関連付けする）「定数：ｕ（「定数」の一例）」を定めて各種の演算処理を実行する構成が採用されている。なお、この「定数：ｕ」を演算する処理（「定数演算処理」の一例）については、後に説明する。
【００６０】
一方、演算した「目標三刺激値：Ｘ’１０ｒｇｂ，Ｙ’１０ｒｇｂ，Ｚ’１０ｒｇｂ」については、「赤色レーザ光Ｌｒ用の補正係数：ｋ」、「緑色レーザ光Ｌｇ用の補正係数：ｌ」および「青色レーザ光Ｌｂ用の補正係数：ｍ」とすると、［数４］に示すように表すことができる。
【００６１】
【数４】
2018196033.tif 000006
【００６２】
したがって、一例として、［数５］に示すように、上記の「補正係数：ｋ，ｌ，ｍ」を演算する。
【００６３】
【数５】
2018196033.tif 000007
【００６４】
この場合、上記の［数５］の演算処理では、ＣＩＥ１９３１標準表色系に対応する数値が使用されているため、この［数５］の演算処理によって演算される「補正係数：ｋ，ｌ，ｍ」は、［数６］に示す条件を満たしている必要がある。
【００６５】
【数６】
2018196033.tif 000008
【００６６】
したがって、「定数：ｕ」については、［数７］に示すように演算することができる（「定数演算処理」の一例）。
【００６７】
【数７】
2018196033.tif 000009
【００６８】
これにより、「補正係数：ｋ，ｌ，ｍ」については、［数８］に示すように演算することができる。
【００６９】
【数８】
2018196033.tif 000010
【００７０】
続いて、上記の各測定値および演算結果に基づき、調整後のレーザプロジェクタから出力されるべき光の「目標レーザ出力値：Ｐ’ｒ，Ｐ’ｇ，Ｐ’ｂ」を［数９］に示すように演算する。
【００７１】
【数９】
2018196033.tif 000011
【００７２】
なお、本例のように「光出力装置（調整対象）」がレーザプロジェクタである場合には、上記のステップ２２の演算処理において、「目標レーザ出力値：Ｐ’ｒ，Ｐ’ｇ，Ｐ’ｂ」を［数１０］に示すように演算することもできる。
【００７３】
【数１０】
2018196033.tif 000012
【００７４】
この場合、「定数：ｕ」については、一例として、［数１１］に示すように演算する（「定数演算処理」の他の一例）。
【００７５】
【数１１】
2018196033.tif 000013
【００７６】
したがって、「目標レーザ出力値：Ｐ’ｒ，Ｐ’ｇ，Ｐ’ｂ」については、［数１２］に示すように演算することができる。
【００７７】
【数１２】
2018196033.tif 000014
【００７８】
以上により、赤色レーザから出力される赤色レーザ光Ｌｒ、緑色レーザから出力される緑色レーザ光Ｌｇ、および青色レーザから出力される青色レーザ光Ｌｂ毎の「目標調整値」である「目標レーザ出力値：Ｐ’ｒ，Ｐ’ｇ，Ｐ’ｂ」が特定（演算）されて「調整値特定処理」が完了する。
【００７９】
この場合、本例の光量測定装置１では、上記のステップ２２の処理によって特定された「目標レーザ出力値：Ｐ’ｒ，Ｐ’ｇ，Ｐ’ｂ」に対する「許容範囲」を演算し、演算結果に基づいて調整値データＤ１を生成する構成が採用されている。具体的には、処理部６は、上記のステップ２１の測定結果、およびステップ２２の演算結果に基づき、「調整完了判定範囲（目標三刺激値範囲を特定可能な目標調整値範囲）」を特定し（調整範囲特定処理）、特定結果に基づいて調整値データＤ１を生成する（ステップ２３）。
【００８０】
より具体的には、このステップ２３では、まず、指定されている「目標色度値：ｘ’１０，ｙ’１０」、およびその「許容誤差：△ｘ’１０，△ｙ’１０」と、指定されている「目標測光量：Ｅ’」、およびその「許容誤差：△Ｅ’」とに基づき、「目標色度値範囲内の任意の色度（一例として、「下限値：ｘ１０min，ｙ１０min」）」、および「目標測光量範囲内の任意の光量（一例として、「下限値：Ｅmin」）」に対応する「補正係数：ｋ’，ｌ’，ｍ’」をそれぞれ演算する。次いで、演算結果から「補正係数の許容誤差：△ｋ，△ｌ，△ｍ」を演算して各レーザ光Ｌ毎の「調整完了判定範囲」を特定する。続いて、特定した各「調整完了判定範囲」に基づき、調整値データＤ１を生成して記憶部７に記憶させる。以上により、「調整用情報」の生成が完了し、調整作業を補助する準備が整う。
【００８１】
この場合、本例の光量測定装置１による上記のような「調整用情報（調整値データＤ１）」の生成方法とは異なるが、例えば、特許第５７２１１８８号公報には、ＣＩＥ１９３１標準表色系における三刺激値である測定ＸＹＺ値を特定（測定）すると共に、ＣＩＥ１９３１標準表色系における三刺激値で指定された目標ＸＹＺ値に基づいてＣＩＥ１９６４ＵＣＳ標準表色系における三刺激値である目標Ｘ１０Ｙ１０Ｚ１０値を演算し、かつ演算結果から、ＣＩＥ１９３１標準表色系における三刺激値で指定された目標ＸＹＺ値（表示装置の表示特性に応じた目標値）を演算し、この演算結果（目標ＸＹＺ値）および測定ＸＹＺ値に基づいてＣＩＥ１９３１標準表色系に対応する数値の校正値を導出する方法が開示されている。この場合、上記の目標Ｘ１０Ｙ１０Ｚ１０値の演算や、目標ＸＹＺ値を演算においては、予め規定された「係数」を用いた行列式を使用すると開示されている。
【００８２】
また、特許第５７６５７９３号公報には、ＣＩＥ１９３１標準表色系における三刺激値である測定ＸＹＺ値を特定（測定）し、かつ特定した測定ＸＹＺ値に基づいてＣＩＥ１９６４ＵＣＳ標準表色系における三刺激値である測定Ｘ１０Ｙ１０Ｚ１０値を演算すると共に、ＣＩＥ１９３１標準表色系における三刺激値で指定された目標ＸＹＺ値に基づいてＣＩＥ１９６４ＵＣＳ標準表色系における三刺激値である目標Ｘ１０Ｙ１０Ｚ１０値を演算し、演算した測定Ｘ１０Ｙ１０Ｚ１０値と目標Ｘ１０Ｙ１０Ｚ１０値を演算とに基づいてＣＩＥ１９６４ＵＣＳ標準表色系に対応する数値の校正値を演算し、その演算結果に基づいてＣＩＥ１９３１標準表色系に対応する数値の校正値を導出する方法が開示されている。測定Ｘ１０Ｙ１０Ｚ１０値を演算する処理、目標Ｘ１０Ｙ１０Ｚ１０値を演算する処理、およびＣＩＥ１９６４ＵＣＳ標準表色系に対応する数値の校正値からＣＩＥ１９３１標準表色系に対応する数値の校正値を導出する処理においては、予め規定された「係数」を用いた行列式を使用すると開示されている。
【００８３】
しかしながら、上記の両特許文献には、２つの色空間（表色系）の相違を補う「係数」をどのように定義するかについて具体的に開示されておらず、この種の装置を使用した調整作業に精通した者であっても、この「係数」をどのような値に定義することで好適な調整を行い得る校正値を導出できるのかを理解することはできない。このため、両特許文献に開示の構成装置・構成方法では、好適な調整作業が可能な校正値が得られているのか否かも判らない。これに対して、本例の光量測定装置１では、上記したように、「定数：ｕ」が自動的に演算されて「目標レーザ出力値：Ｐ’ｒ，Ｐ’ｇ，Ｐ’ｂ」が定量的に導出される。この「定数：ｕ」の算出根拠についても上記のとおり明確であり、この「定数：ｕ」の導入により、ＣＩＥ１９６４ＵＣＳ標準表色系の等色関数、およびＣＩＥ１９３１標準表色系の等色関数の２種類の関数を使用しているにも拘わらず、的確な「目標レーザ出力値：Ｐ’ｒ，Ｐ’ｇ，Ｐ’ｂ」が自動的に算出されている。
【００８４】
一方、処理部６は、上記の調整値データＤ１の生成が完了したときに、上記のステップ２２で演算した「目標レーザ出力値：Ｐ’ｒ，Ｐ’ｇ，Ｐ’ｂ」の値と共に、一例として「調整作業を開始して下さい」とのメッセージを表示部５に表示させる。これに応じて、作業者は、レーザプロジェクタ（赤色レーザ、緑色レーザおよび青色レーザ）からの各レーザ光Ｌの出射量を調整する作業を開始する。
【００８５】
また、処理部６は、「レーザ出力値：Ｐｒ，Ｐｇ，Ｐｂ（各赤色レーザ、緑色レーザおよび青色レーザからのレーザ光Ｌの出射量）」が調整値データＤ１に基づいて特定される「目標調整値範囲」内の値となっているか否かの判定（「第１判定処理」の一例）と、各レーザ光Ｌの合成光Ｌｒｇｂの「色度値：ｘ１０，ｙ１０」が「目標色度値：ｘ’１０，ｙ’１０」に対する「許容誤差：△ｘ’１０，△ｙ’１０」の範囲内の値となっているか否か、および各レーザ光Ｌの合成光Ｌｒｇｂの「測光量：Ｙ」が「目標測光量：Ｅ’」に対する「許容誤差：△Ｅ’」の範囲内となっているか否かの判定（「第２判定処理」の一例）とを実行し、判定結果を作業者に対して報知する。
【００８６】
具体的には、処理部６は、まず、各信号変換部３から出力されている検出信号データＤａ，Ｄｂに基づき、「レーザ出力値：Ｐｒ，Ｐｇ，Ｐｂ」、「色度値：ｘ１０，ｙ１０」および「測光量：Ｙ」をそれぞれ特定し（ステップ２４）、特定した各値を表示部５に表示させる。
【００８７】
次いで、処理部６は、「レーザ出力値：Ｐｒ」が、調整値データＤ１に基づいて特定される「調整完了判定範囲（「（ｋ’＋△ｋ）Ｐｒ≦Ｐｒ≦ｋ’Ｐｒ」および「ｋ’Ｐｒ≦Ｐｒ≦（ｋ’＋△ｋ）Ｐｒ」のいずれか）」内の値となったか否か、「レーザ出力値：Ｐｇ」が、調整値データＤ１に基づいて特定される「調整完了判定範囲（「（ｌ’＋△ｌ）Ｐｇ≦Ｐｇ≦ｌ’Ｐｇ」および「ｌ’Ｐｇ≦Ｐｇ≦（ｌ’＋△ｌ）Ｐｇ」のいずれか）」内の値となったか否か、および「レーザ出力値：Ｐｂ」が、調整値データＤ１に基づいて特定される「調整完了判定範囲（「（ｍ’＋△ｍ）Ｐｂ≦Ｐｂ≦ｍ’Ｐｂ」および「ｍ’Ｐｂ≦Ｐｂ≦（ｍ’＋△ｍＰｂ」のいずれか）」内の値となったか否かをそれぞれ判定する（ステップ２５）。
【００８８】
この場合、本例の光量測定装置１では、一例として、「レーザ出力値：Ｐｒ，Ｐｇ，Ｐｂ」が「調整完了判定範囲」を外れていると判定されたときに、その値が白色の背景に重ねて数値で表示される。したがって、作業者は、既に表示されている「目標レーザ出力値：Ｐ’ｒ，Ｐ’ｇ，Ｐ’ｂ」と、ステップ２４において特定されることで表示される「レーザ出力値：Ｐｒ，Ｐｇ，Ｐｂ」とを参照することにより、赤色レーザからの赤色レーザ光Ｌｒの出射量、緑色レーザからの緑色レーザ光Ｌｇの出射量、および青色レーザからの青色レーザ光Ｌｂの出射量をそれぞれ調整する。
【００８９】
具体的には、「レーザ出力値：Ｐｒ」が「目標レーザ出力値：Ｐ’ｒ」よりも小さいときには、赤色レーザからの赤色レーザ光Ｌｒの出射量を増加させる調整作業を行い、「レーザ出力値：Ｐｒ」が「目標レーザ出力値：Ｐ’ｒ」よりも大きいときには、赤色レーザ光Ｌｒの出射量を減少させる調整作業を行う。また、「レーザ出力値：Ｐｇ」が「目標レーザ出力値：Ｐ’ｇ」よりも小さいときには、緑色レーザからの緑色レーザ光Ｌｇの出射量を増加させる調整作業を行い、「レーザ出力値：Ｐｇ」が「目標レーザ出力値：Ｐ’ｇ」よりも大きいときには、緑色レーザ光Ｌｇの出射量を減少させる調整作業を行う。さらに、「レーザ出力値：Ｐｂ」が「目標レーザ出力値：Ｐ’ｂ」よりも小さいときには、青色レーザからの青色レーザ光Ｌｂの出射量を増加させる調整作業を行い、「レーザ出力値：Ｐｂ」が「目標レーザ出力値：Ｐ’ｂ」よりも大きいときには、青色レーザ光Ｌｂの出射量を減少させる調整作業を行う。
【００９０】
一方、上記のステップ２５において「レーザ出力値：Ｐｒ，Ｐｇ，Ｐｂ」が「調整完了判定範囲」内の値になっていないと判定したときに、処理部６は、ステップ２４において特定した合成光Ｌｒｇｂの「色度値：ｘ１０，ｙ１０」が「目標色度値：ｘ’１０，ｙ’１０」に対する「許容誤差：△ｘ’１０，△ｙ’１０」の範囲内の値になっているか否か、および合成光Ｌｒｇｂの「測光量：Ｙ」が「目標測光量：Ｅ’」に対する「許容誤差：△Ｅ’」の範囲内の値になっているか否かをそれぞれ判定する（ステップ２６）。この際には、調整作業の開始直後であるため、処理部６は、「目標色度値：ｘ’１０，ｙ’１０」に対する「許容誤差：△ｘ’１０，△ｙ’１０」の範囲外の「色度値：ｘ１０，ｙ１０」、および「目標測光量：Ｅ’」に対する「許容誤差：△Ｅ’」の範囲外の「測光量：Ｙ」が特定されたと判定し、さらに、いずれのレーザについての調整も完了していないと判別した後に（ステップ２７）、上記のステップ２４に戻る。
【００９１】
また、本例の光量測定装置１では、作業者による調整作業によって「レーザ出力値：Ｐｒ，Ｐｇ，Ｐｂ」のいずれかが「調整完了判定範囲」内の値となり（「各光源からの光の出射量が、目標色度値に対する色度値許容誤差の範囲内の色度値に対応し、かつ目標測光量に対する測光量許容誤差の範囲内の測光量に対応する出射量になっている」との状態の一例）、ステップ２５において「レーザ出力値：Ｐｒ，Ｐｇ，Ｐｂ」のいずれかが「調整完了判定範囲」内の値になったと判定されたときに、その値の背景色が白色以外の背景色に変更される。
【００９２】
具体的には、例えば、赤色レーザ光Ｌｒの出射量の調整が行われて「レーザ出力値：Ｐｒ」が「調整完了判定範囲」内の値となったときには（ステップ２５）、背景色が白色から赤色に変更された状態で「レーザ出力値：Ｐｒ」が数値で表示される（「調整完了判定範囲内の値となった旨を報知する第１報知処理」の一例：ステップ２８）。また、緑色レーザ光Ｌｇの出射量の調整が行われて「レーザ出力値：Ｐｇ」が「調整完了判定範囲」内の値となったときには（ステップ２５）、背景色が白色から緑色に変更された状態で「レーザ出力値：Ｐｇ」が数値で表示される（「調整完了判定範囲内の値となった旨の報知」の他の一例：ステップ２８）。さらに、青色レーザ光Ｌｂの出射量の調整が行われて「レーザ出力値：Ｐｂ」が「調整完了判定範囲」内の値となったときには（ステップ２５）、背景色が白色から青色に変更された状態で「レーザ出力値：Ｐｂ」が数値で表示される（「調整完了判定範囲内の値となった旨の報知」のさらに他の一例：ステップ２８）。
【００９３】
したがって、作業者は、表示部５に表示されている「目標レーザ出力値：Ｐ’ｒ，Ｐ’ｇ，Ｐ’ｂ」と「レーザ出力値：Ｐｒ，Ｐｇ，Ｐｂ」との大小関係に応じて対応するレーザ光Ｌの出射量を増加させるか減少させるかを判断するだけでよく、各レーザ光Ｌの出射量をどの程度変更すればよいかが判らない状態であっても、赤色レーザ光Ｌｒの調整時には、表示部５に表示されている「レーザ出力値：Ｐｒ」の背景色が赤色になるまでその値を変更し、緑色レーザ光Ｌｇの調整時には、表示部５に表示されている「レーザ出力値：Ｐｇ」の背景色が緑色になるまでその値を変更し、青色レーザ光Ｌｂの調整時には、表示部５に表示されている「レーザ出力値：Ｐｂ」の背景色が青色になるまでその値を変更するだけで、「レーザ出力値：Ｐｒ，Ｐｇ，Ｐｂ」を「調整完了判定範囲」内の値に調整することが可能となる。
【００９４】
なお、ステップ２５において「レーザ出力値：Ｐｒ，Ｐｇ，Ｐｂ」のいずれかが「調整完了判定範囲」内の値になったと判定したときに、表示部５に表示されている「レーザ出力値：Ｐｒ，Ｐｇ，Ｐｂ」の背景色を白色以外の背景色に変更することで「調整完了判定範囲内の値となった」と報知する上記の構成・方法に代えて（または、そのような構成・方法に加えて）、一例として、図３に示す調整状態報知用表示４０を表示部５に表示させ、この調整状態報知用表示４０を参照させつつ各レーザ光Ｌの出射量を調整する作業を実行させる構成・方法を採用することができる。
【００９５】
この調整状態報知用表示４０は、赤色レーザ光Ｌｒの「レーザ出力値：Ｐｒ」の変更作業を補助するためのバー４１ｒ，４２ｒおよびカーソル４３ｒと、緑色レーザ光Ｌｇの「レーザ出力値：Ｐｇ」の変更作業を補助するためのバー４１ｇ，４２ｇおよびカーソル４３ｇと、青色レーザ光Ｌｂの「レーザ出力値：Ｐｂ」の変更作業を補助するためのバー４１ｂ，４２ｂおよびカーソル４３ｂとを備えている。
【００９６】
この場合、バー４１ｒ，４１ｇ，４１ｂ（以下、区別しないときには「バー４１」ともいう）は、赤色レーザ、緑色レーザおよび青色レーザの「レーザ出力値：Ｐｒ，Ｐｇ，Ｐｂ」の「調整可能範囲（レーザプロジェクタの仕様として各レーザ毎に調整を許容されている範囲）」を示す表示であって、一例として、その左端部が「調整可能範囲」内の出力値のうちの最小値に対応させられ、かつその右端部が「調整可能範囲」内の出力値のうちの最大値に対応させられている。
【００９７】
また、バー４２ｒ，４２ｇ，４２ｂ（以下、区別しないときには「バー４２」ともいう）は、上記のステップ２３において特定される「レーザ出力値：Ｐｒ，Ｐｇ，Ｐｂ」の「調整完了判定範囲」を示す表示であって、一例として、上記のバー４１に重ねて表示されることで、「調整可能範囲」に対する「調整完了判定範囲」の相対的な位置および大きさを示すように表示される。このバー４２は、その左端部が「調整完了判定範囲」内の出力値のうちの最小値に対応させられ、かつその右端部が「調整完了判定範囲」内の出力値のうちの最大値に対応させられると共に、一例として、「調整完了判定範囲」の中心値を示す縦線が左右方向の中心部に表示される。
【００９８】
さらに、カーソル４３ｒ，４３ｇ，４３ｂ（以下、区別しないときには「カーソル４３」ともいう）は、「調整可能範囲」および「調整完了判定範囲」に対する「レーザ出力値：Ｐｒ，Ｐｇ，Ｐｂ（ステップ２４において特定される値）」の相対的な位置を示す表示であって、一例として、上記のバー４１，４２の上に並んで表示される。
【００９９】
この場合、図３の例では、ステップ２４において特定された赤色レーザ光Ｌｒの「レーザ出力値：Ｐｒ」が、ステップ２３において特定された「調整完了判定範囲」よりも小さな値であり、ステップ２４において特定された緑色レーザ光Ｌｇの「レーザ出力値：Ｐｇ」が、ステップ２３において特定された「調整完了判定範囲」内の値であり、ステップ２４において特定された青色レーザ光Ｌｂの「レーザ出力値：Ｐｂ」が、ステップ２３において特定された「調整完了判定範囲」よりも大きな値であることが示されている。
【０１００】
したがって、この調整状態報知用表示４０を見た作業者は、バー４２ｒに対するカーソル４３ｒの位置に基づいて「レーザ出力値：Ｐｒ」が小さいと認識し、カーソル４３ｒがバー４２ｒと重なるまで赤色レーザ光Ｌｒの出射量を増加させる調整作業を行うと共に、バー４２ｂに対するカーソル４３ｂの位置に基づいて「レーザ出力値：Ｐｂ」が大きいと認識し、カーソル４３ｂがバー４２ｂと重なるまで赤色レーザ光Ｌｒの出射量を減少させる調整作業を行う。
【０１０１】
この場合、例えば、上記の調整作業によって「レーザ出力値：Ｐｒ」が「調整完了判定範囲」内の出射量となり、カーソル４３ｒがバー４２ｒと重なるように表示される状態となれば、赤色レーザ光Ｌｒの調整作業が完了する。しかしながら、「調整完了判定範囲」を示すバー４２ｒが表示されている状態において、多くの作業者は、図４に示すように、カーソル４３ｒがバー４２ｒの中心部に位置するように調整作業を実施する。これにより、調整状態報知用表示４０を参照させつつ調整作業を実施させることにより、「レーザ出力値：Ｐｒ，Ｐｇ，Ｐｂ」のすべてが、それぞれの「調整完了判定範囲」の中心値、または中心値に近い値に調整される。なお、上記の調整状態報知用表示４０を表示させる構成・方法においては、カーソル４３をバー４２と重なる位置に表示させる処理が、「調整完了判定範囲内の値となった旨を報知する第１報知処理」に相当する。
【０１０２】
一方、上記のステップ２５において「レーザ出力値：Ｐｒ，Ｐｇ，Ｐｂ」が「調整完了判定範囲」内の値となっていないと判別した後、または、「レーザ出力値：Ｐｒ，Ｐｇ，Ｐｂ」のいずれかが「調整完了判定範囲」内の値となったと判別して上記のステップ２８において「レーザ出力値：Ｐｒ，Ｐｇ，Ｐｂ」のいずれかが「調整完了判定範囲」内の値となった旨を報知した後に、処理部６は、ステップ２４において特定した合成光Ｌｒｇｂの「色度値：ｘ１０，ｙ１０」が「目標色度値：ｘ’１０，ｙ’１０」に対する「許容誤差：△ｘ’１０，△ｙ’１０」の範囲内の値になっているか否か、および合成光Ｌｒｇｂの「測光量：Ｙ」が「目標測光量：Ｅ’」に対する「許容誤差：△Ｅ’」の範囲内の値になっているか否かをそれぞれ判定する（ステップ２６）。
【０１０３】
また、「色度値：ｘ１０，ｙ１０」が「目標色度値：ｘ’１０，ｙ’１０」に対する「許容誤差：△ｘ’１０，△ｙ’１０」の範囲内の値になっていない、および／または、合成光Ｌｒｇｂの「測光量：Ｙ」が「目標測光量：Ｅ’」に対する「許容誤差：△Ｅ’」の範囲内の値になっていないときに、処理部６は、すべてのレーザについての調整が完了したか否か（「レーザ出力値：Ｐｒ，Ｐｇ，Ｐｂ」のすべてがそれぞれ「調整完了判定範囲」内の値になったか）を判別する（ステップ２７）。この際に、いずれかのレーザについての調整が完了していない（「レーザ出力値：Ｐｒ，Ｐｇ，Ｐｂ」のいずれかが「調整完了判定範囲」内の値になっていない）ときに、処理部６は、ステップ２４に戻る。
【０１０４】
この場合、「レーザ出力値：Ｐｒ，Ｐｇ，Ｐｂ」のうちのいずれかが「調整完了判定範囲」内の値になっていない状態、すなわち、いずれかのレーザについての調整が完了していない状態であっても、例えば、「調整完了判定範囲」内の値になっていない「レーザ出力値：Ｐ」が「調整完了判定範囲」に近い値のときには、合成光Ｌｒｇｂの「色度値：ｘ１０，ｙ１０」が「目標色度値：ｘ’１０，ｙ’１０」に対する「許容誤差：△ｘ’１０，△ｙ’１０」の範囲内の値で、かつ「測光量：Ｙ」が「目標測光量：Ｅ’」に対する「許容誤差：△Ｅ’」の範囲内の値になる（ホワイトバランス調整が完了した状態となる）ことがある。
【０１０５】
したがって、処理部６は、「レーザ出力値：Ｐｒ，Ｐｇ，Ｐｂ」のうちのいずれかが「調整完了判定範囲」内の値になっていない状態であったとしても、ステップ２６において、合成光Ｌｒｇｂの「色度値：ｘ１０，ｙ１０」が「目標色度値：ｘ’１０，ｙ’１０」に対する「許容誤差：△ｘ’１０，△ｙ’１０」の範囲内で、かつ合成光Ｌｒｇｂの「測光量：Ｙ」が「目標測光量：Ｅ’」に対する「許容誤差：△Ｅ’」の範囲内となっていると判定したときに、一例として、表示部５に表示させている「色度値：ｘ１０，ｙ１０」および「測光量：Ｙ」の値に重ねて「ＰＡＳＳ」との文字列を表示部５に表示させることで、各レーザ光Ｌについての調整作業が完了したことを作業者に対して報知した後に（「第２報知処理」の一例：ステップ２９）、この調整作業補助処理２０を終了する。
【０１０６】
一方、本例の光量測定装置１では、ステップ２５において「レーザ出力値：Ｐｒ，Ｐｇ，Ｐｂ」のすべてが「調整完了判定範囲」内の値になっていると判定したにも拘わらず、ステップ２６において合成光Ｌｒｇｂの「色度値：ｘ１０，ｙ１０」が「目標色度値：ｘ’１０，ｙ’１０」に対する「許容誤差：△ｘ’１０，△ｙ’１０」の範囲内ではないと判定したとき（「第１条件」が満たされた状態の一例）、および／または、ステップ２５において「レーザ出力値：Ｐｒ，Ｐｇ，Ｐｂ」のすべてが「調整完了判定範囲」内の値になっていると判定したにも拘わらず、ステップ２６において合成光Ｌｒｇｂの「測光量：Ｙ」が「目標測光量：Ｅ’」に対する「許容誤差：△Ｅ’」の範囲内ではないと判定したとき（「第２条件」が満たされた状態の一例）に、処理部６が、ステップ２７においてすべてのレーザについての調整が完了したと判定した後に、その時点において使用している調整値データＤ１の「調整完了判定範囲」よりも狭い「調整完了判定範囲」を新たに規定して、作業者に対して各レーザ光Ｌの出射量を再調整させる。
【０１０７】
具体的には、上記の「第１条件」および「第２条件」の少なくとも一方が満たされ、ステップ２７においてすべてのレーザについての調整が完了したと判定したときに、処理部６は、直前に実施したステップ２５において使用した「調整完了判定範囲」よりも狭い「調整完了判定範囲」を特定して調整値データＤ１を生成する（ステップ３０）。具体的には、処理部６は、一例として、ステップ２５において使用した「調整完了判定範囲」、すなわち、前述したステップ２３において特定した「調整完了判定範囲」の下限値を５％から１０％の範囲内で大きな値に変更し、かつ上限値を５％から１０％の範囲内で小さな値に変更することにより、１０％から２０％（一例として、１５％）狭い新たな「調整完了判定範囲」を特定する。
【０１０８】
この後、処理部６は、上記のステップ２４以降の各処理を再び実行する。これにより、新たに特定された十分に狭い「調整完了判定範囲」内の値となるように調整作業が行われる結果、ステップ２５において「レーザ出力値：Ｐｒ，Ｐｇ，Ｐｂ」のすべてが「調整完了判定範囲」内の値になっていると判定され、ステップ２６において、合成光Ｌｒｇｂの「色度値：ｘ１０，ｙ１０」が「目標色度値：ｘ’１０，ｙ’１０」に対する「許容誤差：△ｘ’１０，△ｙ’１０」の範囲内の値で、かつ「測光量：Ｙ」が「目標測光量：Ｅ’」に対する「許容誤差：△Ｅ’」の範囲内の値であると判定される状態となる。この際に、処理部６は、一例として「ＰＡＳＳ」との文字列を表示部５に表示させることで、各レーザ光Ｌについての調整作業が完了したことを作業者に対して報知した後（ステップ２９）に、この調整作業補助処理２０を終了する。
【０１０９】
このように、この光量測定装置１では、例えば、ＣＩＥ１９６４ＵＣＳ標準表色系に対応させた色度によって任意の色に対応する「目標色度値：ｘ’１０，ｙ’１０」が指定され、かつ、ＣＩＥ１９３１標準表色系に対応させた測光量によって任意の明るさに対応する「目標測光量：Ｅ’」が指定されたときに、ＣＩＥ１９６４ＵＣＳ標準表色系における「三刺激値：Ｘ１０，Ｙ１０，Ｚ１０」、およびＣＩＥ１９３１標準表色系における「三刺激値：Ｘ，Ｙ，Ｚ」を各レーザ（各光源）から出力されるレーザ光Ｌ毎にそれぞれ測定する「測定処理」と（ステップ２１）、「目標色度値：ｘ’１０，ｙ’１０」、「目標測光量：Ｅ’」、「三刺激値：Ｘ１０，Ｙ１０，Ｚ１０」および「三刺激値：Ｘ，Ｙ，Ｚ」に基づき、「目標色度値：ｘ’１０，ｙ’１０」および「目標測光量：Ｅ’」に対応するＣＩＥ１９６４ＵＣＳ標準表色系における「目標三刺激値：Ｘ’１０ｒｇｂ，Ｙ’１０ｒｇｂ，Ｚ’１０ｒｇｂ」をそれぞれ演算し、各レーザ光Ｌ毎に、各レーザからのレーザ光Ｌの出射量が「目標三刺激値：Ｘ’１０ｒｇｂ，Ｙ’１０ｒｇｂ，Ｚ’１０ｒｇｂ」に対応する量となる「目標調整値（本例では、「目標レーザ出力値：Ｐ’ｒ，Ｐ’ｇ，Ｐ’ｂ」）」をそれぞれ演算する「調整値特定処理」とを実行して（ステップ２２）各「目標調整値」に基づいて調整値データＤ１を生成すると共に、「調整値特定処理」において、ＣＩＥ１９３１標準表色系に対応している「目標測光量：Ｅ’」とＣＩＥ１９６４ＵＣＳ標準表色系に対応している「目標三刺激値：Ｙ’」との相違を補う「定数：ｕ」を演算する「定数演算処理」を実行し、演算した「定数：ｕ」を用いて「目標調整値」を演算する。
【０１１０】
したがって、この光量測定装置１によれば、「目標色度値：ｘ’１０，ｙ’１０」および「目標測光量：Ｅ’」が互いに相違する色空間に対応する数値で指定された場合であっても調整値データＤ１を確実かつ容易に生成することができ、これにより、調整値データＤ１に基づいて特定される３つのレーザ光Ｌｒ，Ｌｇ，Ｌｂ毎の「目標調整値（または、目標調整値範囲）」に基づき、少なくとも、各レーザ光Ｌの出射量がそれぞれの「目標調整値（または、目標調整値範囲内の値）」に対応する出射量となっていない状態においては、「目標色度値：ｘ’１０，ｙ’１０」および「目標測光量：Ｅ’」が測定される状態になっていない（調整が完了していない）と判断することができる。このため、例えば、その時点において測定される「色度値：ｘ１０，ｙ１０」および「測光量：Ｙ」と、「目標色度値：ｘ’１０，ｙ’１０」および「目標測光量：Ｅ’」とに基づいて、３つのレーザ光Ｌｒ，Ｌｇ，Ｌｂの出射量の調整の要否や調整量を推定する必要がなくなり、各レーザ光Ｌｒ，Ｌｇ，Ｌｂのうちのいずれの出射量を変更すべきか、および各レーザ光Ｌｒ，Ｌｇ，Ｌｂのうちのいずれの出射量を増加させていずれの出射量を減少させるべきかを確実かつ容易に認識することができる。これにより、この種の調整作業に不慣れな作業者であっても、調整作業を短時間で容易に実行することができる。
【０１１１】
また、この光量測定装置１によれば、各レーザからのレーザ光Ｌの出射量が、調整値データＤ１に基づいて特定される「目標調整値範囲」内の「調整値」に対応する出射量になっているかを判定する「第１判定処理」を実行すると共に（ステップ２４，２５）、「第１判定処理」の結果を特定可能に報知する「第１報知処理」を実行することにより（ステップ２８）、調整作業中のレーザからのレーザ光Ｌの出射量が「目標調整値範囲」内の「調整値」に対応する出射量になったか否かを容易に認識することができるため、この種の調整作業に不慣れな作業者であっても、調整作業を一層容易に実行することができる。
【０１１２】
さらに、この光量測定装置１によれば、各レーザからのレーザ光Ｌの合成光が、「目標色度値：ｘ’１０，ｙ’１０」に対する「許容誤差：△ｘ’１０，△ｙ’１０」の範囲内の「色度値：ｘ１０，ｙ１０」で、かつ「目標測光量：Ｅ’」に対する「許容誤差：△Ｅ’」の範囲内の「測光量：Ｙ」になっていると判定したときに（ステップ２６）、各レーザからのレーザ光Ｌの出射量の調整が完了したことを特定可能に報知する「第２報知処理」を実行することにより（ステップ２９）、例えば、各レーザ光Ｌ毎の調整作業中に、いずれかのレーザ光Ｌの出射量が「目標調整値範囲」内の値とはなっていなくても、合成光Ｌｒｇｂの「色度値：ｘ１０，ｙ１０」が「目標色度値：ｘ’１０，ｙ’１０」に対する「許容誤差：△ｘ’１０，△ｙ’１０」の範囲内の値で、「測光量：Ｙ」が「目標測光量：Ｅ’」に対する「許容誤差：△Ｅ’」の範囲内の値となったとき、すなわち、それ以上の調整作業が不要な状態となったときに、不要な調整作業を継続させることなく、調整作業を速やかに終了させることができる。
【０１１３】
なお、「調整用情報生成装置」および「調整作業補助装置」の構成は、上記の光量測定装置１の構成の例に限定されない。例えば、「第１の色空間」の一例であるＣＩＥ１９６４ＵＣＳ標準表色系に対応する「目標色度値ｘ’１，ｙ’１（目標色度値：ｘ’１０，ｙ’１０）」、および「第２の色空間」の一例であるＣＩＥ１９３１標準表色系に対応する「目標測光量Ｅ’（目標測光量：Ｅ’）」が指定された場合を想定して調整値データＤ１を生成する例について説明したが、「目標色度値ｘ’１，ｙ’１」についてＣＩＥ１９６４ＵＣＳ標準表色系以外の各種の色空間（第１の色空間：一例として「ＣＩＥ１７０−２：２０１５基準色度図」）に対応する色度値で「目標色度値ｘ’１，ｙ’１」が指定された場合においても、その色空間の等色関数を使用した演算処理を行うことで、上記の例と同様に「調整用情報」を生成することができる。
【０１１４】
また、「目標測光量Ｅ’」についても、ＣＩＥ１９３１標準表色系以外の色空間において「測光量」を導出可能な等色関数が定義されている場合には、そのような色空間（第２の色空間）に対応する測光量で「目標測光量Ｅ’」が指定された場合においても、その色空間の等色関数を使用した演算処理を行うことで、上記の例と同様に「調整用情報」を生成することができる。
【０１１５】
さらに、「目標調整値（上記の例では、「目標レーザ出力値：Ｐ’ｒ，Ｐ’ｇ，Ｐ’ｂ」）」に基づいて「目標調整値範囲」を特定し、特定した「目標調整値範囲」に基づいて「調整用情報」としての調整値データＤ１を生成する構成を例に挙げて説明したが、「目標調整値」そのものを「調整用情報」として生成する構成を採用することもできる。このような構成を採用した場合には、「調整用情報」を利用した調整作業に先立って「目標調整値範囲」を特定することにより、上記の例と同様に調整作業を進めることができる。
【０１１６】
また、赤色レーザ、緑色レーザおよび青色レーザを備えたレーザプロジェクタを「調整対象」とする処理手順の例について説明したが、「調整対象」としての「光出力装置」はこれに限定されない、例えば、「赤色光源」、「緑色光源」および「青色光源」を備えた液晶表示器や有機ＥＬ表示器などの各種表示器を「調整対象」として「赤色光」、「緑色光」および「青色光」の出射量を調整する作業を補助することもできる。この場合、液晶表示器や有機ＥＬ表示器においては、「赤色光源」から「赤色光」以外の波長の光が出射され、「緑色光源」から「緑色光」以外の波長の光が出射され、かつ「青色光源」から「青色光」以外の波長の光が出射されることが知られている。
【０１１７】
したがって、液晶表示器や有機ＥＬ表示器を「調整対象」とする場合には、上記の光量測定装置１における受光部２Ｒ，２Ｇ，２Ｂや信号変換部３Ｒ，３Ｇ，３Ｂに代えて、一例として、「赤色光」の波長領域から「青色光」の波長領域までの十分に広い波長領域に亘って各波長の光の測光量を測定可能な分光光度計の構成を備えて「調整用情報生成装置」および「調整作業補助装置」を構成する。また、「測定処理」に際しては、一例として、「赤色光源」だけを点灯させた状態で「赤色光源」から出力される光の「三刺激値：Ｘ１０ｒ，Ｙ１０ｒ，Ｚ１０ｒ」および「三刺激値：Ｘｒ，Ｙｒ，Ｚｒ」を測定し、「緑色光源」だけを点灯させた状態で「緑色光源」から出力される光の「三刺激値：Ｘ１０ｇ，Ｙ１０ｇ，Ｚ１０ｇ」および「三刺激値：Ｘｇ，Ｙｇ，Ｚｇ」を測定し、かつ「青色光源」だけを点灯させた状態で「青色光源」から出力される光の「三刺激値：Ｘ１０ｂ，Ｙ１０ｂ，Ｚ１０ｂ」および「三刺激値：Ｘｂ，Ｙｂ，Ｚｂ」を測定することで、他の光源から出力される光の影響を受けることなく、各光源からの光毎の三刺激値をそれぞれ測定する。
【０１１８】
さらに、「調整値特定処理」においては、一例として、「目標色度値：ｘ’１０，ｙ’１０」、「目標測光量：Ｅ’」、および「測定処理」によって測定した各「三刺激値：Ｘ１０ｒ，Ｙ１０ｒ，Ｚ１０ｒ，Ｘ１０ｇ，Ｙ１０ｇ，Ｚ１０ｇ，Ｘ１０ｂ，Ｙ１０ｂ，Ｚ１０ｂ」および各「三刺激値：Ｘｒ，Ｙｒ，Ｚｒ，Ｘｇ，Ｙｇ，Ｚｇ，Ｘｂ，Ｙｂ，Ｚｂ」に基づき、各光源から出力されるべき光毎に、「目標色度値：ｘ’１０，ｙ’１０」および「目標測光量：Ｅ’」に対応する「目標三刺激値：Ｘ’１０ｒ，Ｙ’１０ｒ，Ｚ’１０ｒ，Ｘ’１０ｇ，Ｙ’１０ｇ，Ｚ’１０ｇ，Ｘ’１０ｂ，Ｙ’１０ｂ，Ｚ’１０ｂ」そのものを「目標調整値」として演算する。この場合、求められる「目標調整値」は、［数１３］に示すようになる。なお、「補正係数：ｋ，ｌ，ｍ」の演算方法等や、その際に使用する「定数：ｕ」については、前述した例と同様のため、詳細な説明を省略する。
【０１１９】
【数１３】
2018196033.tif 000015
【０１２０】
また、「調整値特定処理」（および調整範囲の特定処理）においては、前述した「レーザ出力値：Ｐｒ，Ｐｇ，Ｐｂ」（およびその調整範囲）の特定方法と同様にして、「赤色光源」からの光の「三刺激値：Ｘ１０ｒ」（およびその調整範囲）、「三刺激値：Ｙ１０ｒ」（およびその調整範囲）、並びに「三刺激値：Ｚ１０ｒ」（およびその調整範囲）と、「緑色光源」からの光の「三刺激値：Ｘ１０ｇ」（およびその調整範囲）、「三刺激値：Ｙ１０ｇ」（およびその調整範囲）、並びに「三刺激値：Ｚ１０ｇ」（およびその調整範囲）と、「青色光源」からの光の「三刺激値：Ｘ１０ｂ」（およびその調整範囲）、「三刺激値：Ｙ１０ｂ」（およびその調整範囲）、並びに「三刺激値：Ｚ１０ｂ」（およびその調整範囲）とをそれぞれ特定する。これにより、各「目標調整値範囲」を特定可能な「調整用情報」の生成が完了する。
【０１２１】
一方、調整作業に際しては、一例として、「赤色光源」だけを点灯させた状態で「赤色光源」からの光の出射量を調整し、かつ「緑色光源」だけを点灯させた状態で「緑色光源」からの光の出射量を調整すると共に、「青色光源」だけを点灯させた状態で「青色光源」からの光の出射量を調整する。この際に、例えば、「赤色光源」からの光の出射量を調整しているときには、「赤色光源」からの光の「三刺激値：Ｘ１０，Ｙ１０，Ｚ１０」を測定し、その値が「三刺激値：Ｘ１０ｒ」と等しい値（または、調整範囲内の値）となり、「三刺激値：Ｙ１０ｒ」と等しい値（または、調整範囲内の値）となり、かつ「三刺激値：Ｚ１０ｒ」と等しい値（または、調整範囲内の値）となったときに、「赤色光源」からの光の出射量に関する調整が完了したと判定する。同様にして、「緑色光源」からの光や「青色光源」からの光の出射量についても調整する。
【０１２２】
これにより、液晶表示器や有機ＥＬ表示器において、「赤色光源」、「緑色光源」および「青色光源」のすべてを点灯させたときに、「目標色度値：ｘ’１０，ｙ’１０」および「目標測光量：Ｅ’」の測定が可能な状態に調整することができる。なお、液晶表示器や有機ＥＬ表示器の調整作業に際しては、一例として、いずれかの「光源」からの光の出射量を変更する都度（または、作業者によって指定された任意のタイミングで）、すべての「光源」を点灯させて各「光源」からの「合成光」の「色度値：ｘ１０，ｙ１０」および「測光量：Ｙ」を測定し、測定結果が許容範囲内の値となっているか否かを判定すると共に、許容範囲内の値であると判定した時点において、調整が完了した旨を報知する構成を採用するのが好ましい。
【０１２３】
また、「第１報知処理」において、測定値（例えば、測定される「レーザ出力値：Ｐ」の値）が「目標調整値範囲」内の値となっているか否かに応じて、その測定値の背景色を変更することで「調整値（測定値）」が「目標調整値範囲」内の値となったことを報知したり、調整状態報知用表示４０（バー４１，４２およびカーソル４３）を表示させることでバー４２に対するカーソル４３の位置によって「調整値（測定値）」が「目標調整値範囲」内の値となったか否かを報知したりする例について説明したが、このような事項を報知するための具体的な構成は、上記の例に限定されない。
【０１２４】
例えば、所定の図柄の表示／非表示を切り替えることで「調整値（測定値）」が「目標調整値範囲」内の値となったことを報知する構成、または測定値や図柄を点滅表示から静止表示に切り替えることで「調整値（測定値）」が「目標調整値範囲」内の値となったことを報知する構成などを採用することができる。また、予め規定された音声の出力（ブザー音や、音声メッセージの出力）によって「調整値（測定値）」が「目標調整値範囲」内の値となったことを報知する構成を採用することもできる。同様にして、「第２報知処理」における報知の方法に関しても、「ＰＡＳＳ」等の文字列の表示に限定されず、「第１報知処理」と同様の各種の報知方法を採用することができる。
【０１２５】
さらに、例えば各レーザからのレーザ光Ｌの出射量が、調整値データＤ１に基づいて特定される「目標調整値範囲（調整完了判定範囲）」内の「調整値」に対応する出射量になっているかを判定する「第１判定処理」、および「第１判定処理」の結果を特定可能に報知する「第１報知処理」を実行する構成・方法を例に挙げて説明したが、このような構成・方法に代えて、各レーザからのレーザ光Ｌの出射量が、調整値データＤ１に基づいて特定される「目標調整値範囲」の「中心値」に対応する出射量を超えて変化させられて「目標調整値範囲」内の「調整値」に対応する出射量になっているかを判定する「第３判定処理」、および「第３判定処理」の結果を特定可能に報知する「第３報知処理」を実行する構成・方法を採用することもできる。
【０１２６】
具体的には、この「第３の判定処理」および「第３報知処理」では、一例として、赤色レーザからの「レーザ出力値：Ｐｒ」が「調整完了判定範囲」よりも小さな値であることで調整作業によって赤色レーザ光Ｌｒの出射量が増加させられたときに、「レーザ出力値：Ｐｒ」が「調整完了判定範囲」の中心値を超えて「調整完了判定範囲」内の値に変化させられたか否か（つまり、「レーザ出力値：Ｐｒ」が「調整完了判定範囲」の中心値よりも大きく、かつ「調整完了判定範囲」の上限値以下の値であるか否か）を判定してその結果を報知する。
【０１２７】
この際に、調整作業によって赤色レーザ光Ｌｒの出射量が必要以上に増加させられたとき（すなわち、「レーザ出力値：Ｐｒ」が「調整完了判定範囲」の中心値を超えて変化させられたものの、「調整完了判定範囲」よりも大きな値に変化させられてしまったとき）には、次に実行する「第３の判定処理」および「第３報知処理」において、「レーザ出力値：Ｐｒ」が「調整完了判定範囲」の中心値を超えて（下回って）「調整完了判定範囲」内の値に変化させられたか否か（つまり、「レーザ出力値：Ｐｒ」が「調整完了判定範囲」の中心値よりも小さく、かつ「調整完了判定範囲」の下限値以上の値であるか否か）を判定してその結果を報知する処理を実行する。
【０１２８】
このような構成・方法を採用することにより、レーザからのレーザ光Ｌの出射量が「目標調整値範囲（調整完了判定範囲）」内の「調整値」に対応する出射量ではないと認識した作業者が調整作業に際して出射量を少しずつ変化させるときに、出射量が「目標調整値範囲」の中心値を超えたと報知されるまで調整作業が継続されることとなるため、出射量が「目標調整値範囲」の内の「調整値」となった時点、すなわち、「目標調整値範囲」の上限値や下限値に近い「調整値」に対応する値となった時点で調整作業が終了されてしまう事態を回避して、「目標調整値範囲」の中心値に近い「調整値」に対応する出射量が特定される状態となるまで好適に調整させることができる。
【０１２９】
一方、光量測定装置１を「調整作業補助装置」として動作させて作業者が各レーザ光Ｌｒ，Ｌｇ，Ｌｂの出射量（または、液晶表示器や有機ＥＬ表示器などの各種表示器における各光源からの光の出射量）をそれぞれ調整する調整作業を実施する例について説明したが、光量測定装置１を「調整装置」として動作させて各レーザ光Ｌｒ，Ｌｇ，Ｌｂ等の出射量を「目標調整値範囲」内の「調整値」に自動的に調整させることもできる。
【０１３０】
具体的には、前述した調整作業補助処理２０におけるステップ２３までの処理（「調整用情報生成装置」として実行する処理）を実行して「調整用情報」としての調整値データＤ１を生成する。次いで、調整作業補助処理２０におけるステップ２４の処理と同様の処理を実行することにより、各信号変換部３から出力されている検出信号データＤａ，Ｄｂに基づいて「レーザ出力値：Ｐｒ，Ｐｇ，Ｐｂ」を特定する。続いて、図１に破線で示すように光量測定装置１（処理部６）とレーザプロジェクタとを信号ケーブルによって相互に接続する。
【０１３１】
次いで、特定した「レーザ出力値：Ｐｒ，Ｐｇ，Ｐｂ」が、調整値データＤ１に基づいて特定される「目標調整値」（または、「目標調整値」に対して規定される「目標調整値範囲（調整完了判定範囲）」内の値）になっているか否かを判定する（「各光源からの光の出射量が調整用情報に基づいて特定される目標調整値範囲内の調整値に対応する出射量になっているかを判定する判定処理」の一例）。
【０１３２】
この際に、一例として、「レーザ出力値：Ｐｒ，Ｐｇ，Ｐｂ」が「目標調整値（または、目標調整値範囲）」よりも小さな値のときには、上記の信号ケーブルを介してレーザプロジェクタ（各レーザ）を制御して「レーザ出力値：Ｐｒ，Ｐｇ，Ｐｂ」を増加させる（「各光源からの光の出射量を予め規定された変更量だけ変更する出射量調整処理」の一例）。また、「レーザ出力値：Ｐｒ，Ｐｇ，Ｐｂ」が「目標調整値（または、目標調整値範囲）」よりも大な値のときには、上記の信号ケーブルを介してレーザプロジェクタ（各レーザ）を制御して「レーザ出力値：Ｐｒ，Ｐｇ，Ｐｂ」を減少させる（「各光源からの光の出射量を予め規定された変更量だけ変更する出射量調整処理」の他の一例）。
【０１３３】
この場合、本例の光量測定装置１では、処理部６が、例えば、特定した「レーザ出力値：Ｐｒ」が「目標調整値（または、目標調整値範囲内の値）」ではないと判定したときに、特定した「レーザ出力値：Ｐｒ」と「目標調整値（または、目標調整値範囲の中心値）：（すなわち、前述した「目標レーザ出力値Ｐ’ｒ」）」との差を演算し、演算した値を、赤色レーザからの赤色レーザ光Ｌｒの出射量の変更量として規定する。
【０１３４】
次いで、特定した「レーザ出力値：Ｐｒ」が「目標調整値（または、目標調整値範囲）」よりも小さな値であったときには、規定した変更量だけ赤色レーザ光Ｌｒの出射量を増加させるようにレーザプロジェクタ（赤色レーザ）を制御し、特定した「レーザ出力値：Ｐｒ」が「目標調整値（または、目標調整値範囲）」よりも大きな値であったときには、規定した変更量だけ赤色レーザ光Ｌｒの出射量を減少させるようにレーザプロジェクタ（赤色レーザ）を制御する。なお、詳細な説明を省略するが、緑色レーザ光Ｌｇおよび青色レーザ光Ｌｂについても赤色レーザ光Ｌｒと同様の処理（「判定処理」、「変更量の規定」および「出力値の変更」）を実行する。
【０１３５】
続いて、処理部６は、各信号変換部３から出力されている検出信号データＤａ，Ｄｂに基づいて「レーザ出力値：Ｐｒ，Ｐｇ，Ｐｂ」を再び特定し、特定した「レーザ出力値：Ｐｒ，Ｐｇ，Ｐｂ」が「目標調整値（または、目標調整値範囲内の値）」となっているか否かを再判定する（「出射量調整処理の後に実行する判定処理」の一例）。この際に、特定した「レーザ出力値：Ｐｒ，Ｐｇ，Ｐｂ」が「目標調整値（または、目標調整値範囲内の値）」となっているときには、その旨を報知して一連の調整処理を終了する。一方、特定した「レーザ出力値：Ｐｒ，Ｐｇ，Ｐｂ」が「目標調整値（または、目標調整値範囲内の値）」となっていないとき（「各光源からの光の出射量が目標調整値範囲を外れた調整値に対応する出射量に変更されたと判定したとき」の一例）には、「変更量の規定」および「出力値の変更」）を再び実行する。
【０１３６】
この場合、本例の光量測定装置１では、例えば、赤色レーザ光Ｌｒについての２回目以降の「変更量の規定」および「出力値の変更」に際して、まず、特定した「レーザ出力値：Ｐｒ」と「目標調整値（または、目標調整値範囲の中心値）」との差を演算すると共に、その「演算した差」と、直前に実行した「変更量の規定」に際して規定した「変更量」とを比較する。
【０１３７】
この際に、「演算した差」が、直前に規定した「変更量」よりも小さいときには、その「演算した差」を赤色レーザ光Ｌｒの出射量の変更量として新たに規定して（次に実行する出射量調整処理時に各光源からの光の出射量を変更する変更量を、直前に実行した出射量調整処理時に各光源からの光の出射量を変更した変更量よりも予め規定された量だけ少なく規定する」との処理の一例）、規定した「変更量」分の「出力値の変更」を実行する。
【０１３８】
また、「演算した差」が、直前に規定した「変更量」よりも大きいとき、すなわち、規定した「変更量」分の出射量の変更を行ったときに、赤色レーザ光Ｌｒ等の出射量が想定しているよりも大きく変化することが判明したときには、直前に規定した「変更量」よりも予め規定された量だけ少ない量（一例として、直前に規定した「変更量」の１／２の量）を新たな「変更量」として規定して、規定した「変更量」分の「出力値の変更」を実行する。
【０１３９】
これらの処理を、検出信号データＤａ，Ｄｂに基づいて特定される「レーザ出力値：Ｐｒ，Ｐｇ，Ｐｂ」が「目標調整値（または、目標調整値範囲内の値）」となるまで繰り返し実行することにより、各レーザ光Ｌについての調整処理が完了する。なお、上記の「変更量」については、特定した「レーザ出力値：Ｐｒ，Ｐｇ，Ｐｂ」と「目標調整値（または、目標調整値範囲の中心値）」との差に限定されず、作業者などが経験則に基づいて任意に定めたりすることができる。また、レーザ光Ｌｒ，Ｌｇ，Ｌｂの調整処理の例について説明したが、液晶表示器や有機ＥＬ表示器などの各種表示器を「調整対象」として調整処理を実行することもできる。
【０１４０】
このように、この光量測定装置１では、任意の色および任意の明るさが認識されるように各光源からの光の出射量をそれぞれ調整可能に構成され、各光源からの光の出射量が「調整用情報」に基づいて特定される「目標調整値範囲」内の調整値に対応する出射量になっているかを判定する「判定処理」を実行し、各光源からの光の出射量が「目標調整値範囲」内の調整値に対応する出射量になっていないときに、各光源からの光の出射量を予め規定された変更量だけ変更する「出射量調整処理」を実行した後に「判定処理」を再び実行する。
【０１４１】
したがって、この光量測定装置１によれば、作業者が「目標調整値範囲」を規定したり、規定した「目標調整値範囲」内の調整値に対応する出射量となるように調整作業を行ったりすることなく、「目標調整値範囲」を規定する処理から、光源からの光の出射量が「目標調整値範囲」内の調整値に対応する出射量となるような調整処理までの一連の処理を自動的に実行させることができるため、この種の装置（作業）に不慣れな者であっても、任意の色および任意の明るさが認識されるように各光源からの光の出射量を確実かつ容易に調整させることができる。
【０１４２】
一方、光量測定装置１を「調整用情報生成装置」、「調整作業補助装置」および「調整装置」として動作させる例について説明したが、光量測定装置１を「判別用情報生成装置」として動作させて、「光出力装置」を対象として「任意の色および任意の明るさが認識される出射量の光」が各光源からそれぞれ出力されているか否かを判別可能な「判別用情報」を生成させたり、光量測定装置１を「検査装置」として動作させて、「判別用情報」に基づいて「光出力装置」の状態を検査させたりすることもできる。
【０１４３】
具体的には、光量測定装置１を「判別用情報生成装置」として動作させる場合には、「第１の色空間」に対応させた色度によって「任意の色に対応する目標色度値ｘ’１，ｙ’１」が指定され、かつ、「第２の色空間」に対応させた測光量によって「任意の明るさに対応する目標測光量Ｅ’」が指定されたときに、処理部６が、「第１の色空間」における「三刺激値Ｘ１，Ｙ１，Ｚ１」、および「第２の色空間」における「三刺激値Ｘ２，Ｙ２，Ｚ２」を各光源から出力される光毎にそれぞれ測定する「測定処理」を実行すると共に、前述した「調整値特定処理」に代えて、「目標色度値ｘ’１，ｙ’１」、「目標測光量Ｅ’」、「三刺激値Ｘ１，Ｙ１，Ｚ１」および「三刺激値Ｘ２，Ｙ２，Ｚ２」に基づき、「目標色度値ｘ’１，ｙ’１」および「目標測光量Ｅ’」に対応する「第１の色空間」における「目標三刺激値Ｘ’１，Ｙ’１，Ｚ’１」をそれぞれ演算し、各光源から出力されるべき光毎に、各光源からの光の出射量が「目標三刺激値Ｘ’１，Ｙ’１，Ｚ’１」に対応する量となる「目標出射量」をそれぞれ演算する「目標出射量特定処理」を実行し、各「目標出射量」に基づいて「判別用情報」を生成する。この際に、処理部６は、「目標出射量特定処理」において、「第２の色空間」に対応している「目標測光量Ｅ’」と「第１の色空間」に対応している「目標三刺激値Ｙ’１」との相違を補う「定数（上記の例における「ｕ」）」を演算する「定数演算処理」を実行し、その「定数」を用いて「目標出射量」を演算する。
【０１４４】
このように、光量測定装置１を「判別用情報生成装置」として動作させることにより、「目標色度値ｘ’１，ｙ’１」および「目標測光量Ｅ’」が互いに相違する色空間に対応する数値で指定された場合であっても「判別用情報」を確実かつ容易に生成することができ、これにより、「判別用情報」に基づいて特定される３つの光（各光源からの光）毎の「目標出射量」に基づき、少なくとも、各光源からの光の出射量がそれぞれの「目標出射量」に対応する出射量となっていない状態においては、「目標色度値ｘ’１，ｙ’１」および「目標測光量Ｅ’」が測定される状態になっていないと判断することができる。このため、「光出力装置」の状態の判別に不慣れな作業者であっても、「光出力装置」の状態を短時間で容易に把握可能な情報（判別用情報）を提供することができる。
【０１４５】
また、生成した「判別用情報」に基づいて「光出力装置」の状態を検査する「検査装置」として動作させることにより、対象の「光出力装置」が、「任意の色および任意の明るさが認識される出射量の光が光源からそれぞれ出力されているか否か」を確実かつ容易に検査することができる。
【符号の説明】
【０１４６】
１  光量測定装置
２Ｒ，２Ｇ，２Ｂ  受光部
３Ｒ，３Ｇ，３Ｂ  信号変換部
４  操作部
５  表示部
６  処理部
７  記憶部
１０ａ，１０ｂ  受光センサ
１１，１２ａ，１２ｂ  光学フィルタ
１３ａ，１３ｂ  光電変換部
２０  調整作業補助処理
４０  調整状態報知用表示
４１ｒ，４１ｇ，４１ｂ，４２ｒ，４２ｇ，４２ｂ  バー
４３ｒ，４３ｇ，４３ｂ  カーソル
Ｄ０  等色関数データ
Ｄ１  調整値データ
Ｄａ，Ｄｂ  検出信号データ
Ｄｐ  動作プログラム
Ｌｒ  赤色レーザ光
Ｌｇ  緑色レーザ光
Ｌｂ  青色レーザ光
Ｌｒｇｂ  合成光
Ｓａ，Ｓｂ  検出信号
【図１】
2018196033.tif 000016
【図２】
2018196033.tif 000017
【図３】
2018196033.tif 000018
【図４】
2018196033.tif 000019